(57)【特許請求の範囲】
【請求項１】
設定用のキーを含む設定画面を表示し、前記設定画面に重ねて表示され表示位置が移動可能な画像であるオブジェクトを複数表示する表示部と、
前記表示部に対して設けられ、使用者の入力を受け付け、複数のタッチされている位置を検知するタッチパネル部と、
タッチされた２点が縦方向か横方向かを判断する判断部を含み、
前記タッチパネル部は前記表示部に表示された前記オブジェクトの一部又は全てを選択オブジェクトとして選択する入力を受け付け、
前記オブジェクトが選択されている状態で前記タッチパネル部が２点タッチされたことを検知したとき、
前記表示部はタッチされた２点の方向と、タッチされた点の移動に応じて前記選択オブジェクトの表示位置を整列し、
タッチされた２点が横方向であるとき、
前記表示部は、
前記タッチパネル部が左側のタッチされた点が固定されつつ右側のタッチされた点が左方向に移動したことを受け付けた場合、前記選択オブジェクトを左方向に移動させることにより、前記選択オブジェクトの左端が予め定められた左揃え位置に揃うように、前記選択オブジェクトの表示位置を左揃えで整列し、前記タッチパネル部が右側のタッチされた点が固定されつつ左側のタッチされた点が右方向に移動したことを受け付けた場合、前記選択オブジェクトを右方向に移動させることにより、前記選択オブジェクトの右端が予め定められた右揃え位置に揃うように、前記選択オブジェクトの表示位置を右揃えで整列し、
前記左揃え位置はタッチされた２点のいずれか１点の位置に前記選択オブジェクトが表示されているとき、タッチされた位置に表示された前記選択オブジェクトの左端の位置であり、タッチされた２点の両方の位置に前記選択オブジェクトが表示されていないとき、前記表示部の表示領域の左端もしくは最も左に位置する前記選択オブジェクトの左端の位置であり、
前記右揃え位置はタッチされた２点のいずれか１点の位置に前記選択オブジェクトが表示されているとき、タッチされた位置に表示された前記選択オブジェクトの右端の位置であり、タッチされた２点の両方の位置に前記選択オブジェクトが表示されていないとき、前記表示部の表示領域の右端若しくは前記選択オブジェクトのうち最も右に位置する前記選択オブジェクトの右端の位置であり、
重なった前記オブジェクトが選択された後、前記タッチパネル部がタッチされた点を回転させる操作を受け付けたとき、
前記表示部は最初にタッチされた２点を結ぶ直線に対する現在のタッチされた２点を結ぶ直線の角度変化量が予め定められた角度変化量未満のとき、前記角度変化量に応じて、前記選択オブジェクトを重なりが解消させる方向に移動させ、角度変化量が予め定められた角度変化量を超えるとき、前記選択オブジェクトの重なり順を逆転させるとともに、前記角度変化量に応じて、前記選択オブジェクトを元の位置に戻す方向に移動させることを特徴とする表示入力装置。
【請求項２】
タッチされた２点が縦方向であるとき、
前記表示部は前記タッチパネル部が上側のタッチされた点が固定されつつ下側のタッチされた点が上方向に移動したことを受け付けた場合、前記選択オブジェクトを上方向に移動させることにより、前記選択オブジェクトの上端が予め定められた上揃え位置に揃うように前記選択オブジェクトの表示位置を上揃えで整列し、前記タッチパネル部が下側のタッチされた点が固定されつつ上側のタッチされた点が下方向に移動したことを受け付けた場合、前記選択オブジェクトを下方向に移動させることにより、前記選択オブジェクトの下端が予め定められた下揃え位置に揃うように前記選択オブジェクトの表示位置を下揃えで整列し、
前記上揃え位置はタッチされた２点のいずれか１点の位置に前記選択オブジェクトが表示されているとき、タッチされた位置に表示された前記選択オブジェクトの上端の位置であり、タッチされた２点の両方の位置に前記選択オブジェクトが表示されていないとき、前記表示部の表示領域の上端もしくは最も上に位置する前記選択オブジェクトの上端の位置であり、
前記下揃え位置はタッチされた２点のいずれか１点の位置に前記選択オブジェクトが表示されているとき、タッチされた位置に表示された前記選択オブジェクトの下端の位置であり、タッチされた２点の両方の位置に前記選択オブジェクトが表示されていないとき、前記表示部の表示領域の下端若しくは最も下に位置する前記選択オブジェクトの下端の位置であることを特徴とする請求項１に記載の表示入力装置。
【請求項３】
タッチされた２点が横方向であるとき、
前記表示部は前記タッチパネル部がタッチされた２点の間隔が左右方向に狭められたことを受け付けたとき、それぞれの前記選択オブジェクトの左右方向での中央が前記表示部の表示領域の左右方向での中央と揃うように前記選択オブジェクトの表示位置を整列することを特徴とする請求項１又は２に記載の表示入力装置。
【請求項４】
タッチされた２点が縦方向であるとき、
前記表示部は前記タッチパネル部がタッチされた２点の間隔が上下方向に狭められたことを受け付けたとき、それぞれの前記選択オブジェクトの上下方向での中央が前記表示部の表示領域の上下方向での中央と揃うように前記選択オブジェクトの表示位置を整列することを特徴とする請求項１乃至３のいずれか１項に記載の表示入力装置。
【請求項５】
タッチされた２点が横方向であるとき、
前記表示部は前記タッチパネル部がタッチされた２点の間隔が左右方向に広げられたことを受け付けたとき、それぞれの前記選択オブジェクトの左右方向での間隔が均等になるように前記選択オブジェクトの表示位置を整列することを特徴とする請求項１乃至４のいずれか１項に記載の表示入力装置。
【請求項６】
前記表示部は最も左に表示された前記選択オブジェクトと最も右に表示された前記選択オブジェクトを動かさないようにして、又は、最も左に表示された前記選択オブジェクトの左端を表示領域の左端に移動させるとともに最も右に表示された前記選択オブジェクトの右端を表示領域の右端に移動させて、それぞれの前記選択オブジェクトの左右方向での間隔が均等になるように前記選択オブジェクトの表示位置を整列することを特徴とする請求項５記載の表示入力装置。
【請求項７】
タッチされた２点が縦方向であるとき、
前記表示部は前記タッチパネル部がタッチされた２点の間隔が上下方向に広げられたことを受け付けたとき、それぞれの前記選択オブジェクトの上下方向での間隔が均等になるように前記選択オブジェクトの表示位置を整列することを特徴とする請求項１乃至６のいずれか１項に記載の表示入力装置。
【請求項８】
前記表示部は最も上に表示された前記選択オブジェクトと最も下に表示された前記選択オブジェクトを動かさないようにして、又は、最も上に表示された前記選択オブジェクトの上端を表示領域の上端に移動させるとともに最も下に表示された前記選択オブジェクトの下端を表示領域の下端に移動させて、それぞれの前記選択オブジェクトの上下方向での間隔が均等になるように前記選択オブジェクトの表示位置を整列することを特徴とする請求項７記載の表示入力装置。
【請求項９】
重なった前記オブジェクトが選択された後、タッチされた２点が横方向であるとき、
前記表示部は前記タッチパネル部が左側のタッチされた点が固定されつつ右側のタッチされた点が右方向に移動したことを受け付けた場合、重なった前記選択オブジェクトのうち、最も左側に位置する前記選択オブジェクトを動かさないようにしつつ、他の前記選択オブジェクトの表示位置を右方向にずらして重なりが無くなるように前記選択オブジェクトの表示位置を変え、前記タッチパネル部が右側のタッチされた点が固定されつつ左側のタッチされた点が左方向に移動したことを受け付けた場合、重なった前記選択オブジェクトのうち、最も右側に位置する前記選択オブジェクトを動かさないようにしつつ、他の前記選択オブジェクトの表示位置を左方向にずらして重なりが無くなるように前記選択オブジェクトの表示位置を変えることを特徴とする請求項１乃至８のいずれか１項に記載の表示入力装置。
【請求項１０】
重なった前記オブジェクトが選択された後、タッチされた２点が縦方向であるとき、
前記表示部は前記タッチパネル部が上側のタッチされた点が固定されつつ下側のタッチされた点が下方向に移動したことを受け付けた場合、重なった前記選択オブジェクトのうち、最も上側に位置する前記選択オブジェクトを動かさないようにしつつ、他の前記選択オブジェクトの表示位置を下方向にずらして重なりが無くなるように前記選択オブジェクトの表示位置を変え、前記タッチパネル部が下側のタッチされた点が固定されつつ上側のタッチされた点が上方向に移動したことを受け付けた場合、重なった前記選択オブジェクトのうち、最も下側に位置する前記選択オブジェクトを動かさないようにしつつ、他の前記選択オブジェクトの表示位置を上方向にずらして重なりが無くなるように前記選択オブジェクトの表示位置を変えることを特徴とする請求項１乃至９のいずれか１項に記載の表示入力装置。
【請求項１１】
整列された前記オブジェクトが選択された状態で前記タッチパネル部がタッチされた点を回転させる操作を受け付けたとき、
前記判断部は回転角度に応じて基準点を設定するとともに、整列された複数の前記選択オブジェクトのうちの予め定められた特定箇所を結ぶ基準ラインを認識し、
前記表示部はタッチされた２点を結ぶ直線の角度変化に応じて、前記基準点を中心として回転させた前記基準ラインと前記特定箇所が重なるように、複数の前記選択オブジェクトの表示位置を変えることを特徴とする請求項１乃至１０のいずれか１項に記載の表示入力装置。
【請求項１２】
整列された前記オブジェクトが選択された状態で前記タッチパネル部がタッチされた点を９０度回転させる操作を受け付けたとき、
前記表示部は複数の前記選択オブジェクトの整列方向を左右方向から上下方向に、又は上下方向から左右方向に前記選択オブジェクトの表示位置を変えることを特徴とする請求項１１に記載の表示入力装置。
【請求項１３】
請求項１乃至１２のいずれか１項に記載の表示入力装置を含むことを特徴とする画像形成装置。
【発明の詳細な説明】
【技術分野】
【０００１】
本発明は表示部やタッチパネル部を有する表示入力装置、及び、これを備えた画像形成装置に関する。
【背景技術】
【０００２】
各種電気機器、電子機器には、設定入力や機器の操作を行うためのタッチパネルと組み合わされた表示パネルが取り付けられることがある。そして、使用者が操作、入力を行うことにより、画面上の任意の位置に、新たな画像を表示できるようにすることがある。このような新たに表示させる画像としては、例えば、電子付箋がある。使用者は文字等（例えば、注意書きやメッセージなど）の入力を行って、電子付箋を作成する。そして、画面を表示させる度に、貼り付けられた（付された）画面に電子付箋は表示される。
【０００３】
このような文字等からなる情報を使用者の入力に応じて新たに画面に表示させる（付す）画像形成装置の一例が特許文献１に記載されている。具体的に特許文献１には、操作画面を表示する表示手段、操作画面に対して伝達情報を入力するための情報入力手段、伝達情報の操作画面上における表示位置を設定するための表示位置設定手段、伝達情報及び表示位置を記憶する記憶手段と、伝達情報及び表示位置の設定入力時における操作画面情報と操作画面で設定入力された伝達情報及び表示位置とを対応付けた情報を付箋情報として記憶手段に登録させる付箋情報生成手段と、表示手段に表示される操作画面情報に対応する付箋情報を記憶手段から読み出し、読み出した付箋情報に対応する付箋画像を当該操作画面上に表示させる付箋画像表示手段と、を備えた画像形成装置が記載されている。この構成により、各種操作画面に対する補助的な操作指示や注意喚起、備忘録等の伝達情報を用意に伝達表示でき、操作性が向上された画像形成装置を実現しようとする（特許文献１：請求項１、段落［００１４］等参照）。
【先行技術文献】
【特許文献】
【０００４】
【特許文献１】特開２００６−１３９１８６号公報
【発明の概要】
【発明が解決しようとする課題】
【０００５】
例えば、複写機、複合機、プリンター、ＦＡＸ装置等の画像形成装置にも、表示を行うパネルとタッチパネルの組み合わせを含む操作パネルが設けられる。そして、画像形成装置のような固定された表示パネルでも、表示位置が移動可能な画像であるオブジェクトを複数表示することがある。尚、オブジェクトとしては、例えば、上述のような電子付箋を示す画像（付箋紙のような注意書きなどのテキストデータを含む画像）や、データやファイルを示す画像（アイコン）などがある。
【０００６】
１画面中に複数のオブジェクトが表示されているとき、複数のオブジェクトの端を揃えるなど、一定の規則に沿って複数のオブジェクトをきれいに整列したい場合がある。例えば、タッチパネルを備えた表示パネルでは、アイコンなどの画像（オブジェクト）をドラッグアンドドロップ操作（表示位置を移動させたい画像をタッチし、タッチしたままタッチ位置の移動に応じて画像の表示位置を移動させ、指をタッチパネル部から離すと動かした画像の表示位置が確定）によって、画像（オブジェクト）の表示位置を調整可能とすることがある。この場合、複数のオブジェクトの表示位置を調整したい使用者は、ドラッグアンドドロップ操作によって１個ずつオブジェクトを所望の表示位置に移動させる操作を行うことになる。しかし、ドラッグアンドドロップ操作では、左揃えや間隔を等しくするなど、一定の規則に基づいてずれなくオブジェクトを整列させることは難しい。
【０００７】
又、複数種の操作を行うことで、複数のオブジェクトを整列できるようにすることがある。例えば、（１）複数のオブジェクトを選択→（２）選択状態でメニューを表示させる操作→（３）メニュー内に「左揃え」や「中央揃え」などの所望の処理を示すキーやボタンを表示→（４）所望の揃え方をタッチ→（５）複数のオブジェクトの整列実行というように、多くの操作が必要となる。しかし、タッチパネルを備えた表示パネルでは、通常、マウスのようなボタンを備えたデバイスは無いので、メニューを用いた操作は適さない場合もある。
【０００８】
このように、タッチパネルを備えた表示パネルでは、従来、複数のオブジェクトの表示位置を整列させづらく、オブジェクトの整列させる操作を素早く、簡易に、直感的（直観的）に行えず、操作がわかりにくいという問題がある。
【０００９】
尚、特許文献１記載の技術では、一度表示位置を設定した電子付箋（伝達情報を示す付箋情報）の表示位置を変更できる旨の記載はない。特許文献１記載の技術では、所望の表示位置に変えたい場合、もう一度電子付箋を作成する必要がある。更に言えば、ドラッグアンドドロップ操作によって、特許文献１記載の技術で１つのオブジェクト（電子付箋）の表示位置を調整できるようにしたとしても、素早く、簡易に、複数のオブジェクトを一定の規則に沿ってきれいに整列できないことが明らかである。従って、特許文献１記載の技術では上記の問題を解決することはできない。
【００１０】
本発明は上記の問題点に鑑み、複数のオブジェクトの整列を簡易、直感的に行えるようにし、表示入力装置を使いやすくすることを課題とする。
【課題を解決するための手段】
【００１１】
上記課題解決のため請求項１に係る表示入力装置は、設定用のキーを含む設定画面を表示し、前記設定画面に重ねて表示され表示位置が移動可能な画像であるオブジェクトを複数表示する表示部と、前記表示部に対して設けられ、使用者の入力を受け付け、複数のタッチされている位置を検知するタッチパネル部と、タッチされた２点が縦方向か横方向かを判断する判断部を含み、前記タッチパネル部は前記表示部に表示された前記オブジェクトの一部又は全てを選択オブジェクトとして選択する入力を受け付け、前記オブジェクトが選択されている状態で前記タッチパネル部が２点タッチされたことを検知したとき、前記表示部はタッチされた２点の方向と、タッチされた点の移動に応じて前記選択オブジェクトの表示位置を整列し、タッチされた２点が横方向であるとき、前記表示部は、前記タッチパネル部が左側のタッチされた点が固定されつつ右側のタッチされた点が左方向に移動したことを受け付けた場合、前記選択オブジェクトを左方向に移動させることにより、前記選択オブジェクトの左端が予め定められた左揃え位置に揃うように、前記選択オブジェクトの表示位置を左揃えで整列し、前記タッチパネル部が右側のタッチされた点が固定されつつ左側のタッチされた点が右方向に移動したことを受け付けた場合、前記選択オブジェクトを右方向に移動させることにより、前記選択オブジェクトの右端が予め定められた右揃え位置に揃うように、前記選択オブジェクトの表示位置を右揃えで整列し、前記左揃え位置はタッチされた２点のいずれか１点の位置に前記選択オブジェクトが表示されているとき、タッチされた位置に表示された前記選択オブジェクトの左端の位置であり、タッチされた２点の両方の位置に前記選択オブジェクトが表示されていないとき、前記表示部の表示領域の左端もしくは最も左に位置する前記選択オブジェクトの左端の位置であり、前記右揃え位置はタッチされた２点のいずれか１点の位置に前記選択オブジェクトが表示されているとき、タッチされた位置に表示された前記選択オブジェクトの右端の位置であり、タッチされた２点の両方の位置に前記選択オブジェクトが表示されていないとき、前記表示部の表示領域の右端若しくは前記選択オブジェクトのうち最も右に位置する前記選択オブジェクトの右端の位置であり、
重なった前記オブジェクトが選択された後、前記タッチパネル部がタッチされた点を回転させる操作を受け付けたとき、前記表示部は最初にタッチされた２点を結ぶ直線に対する現在のタッチされた２点を結ぶ直線の角度変化量が予め定められた角度変化量未満のとき、前記角度変化量に応じて、前記選択オブジェクトを重なりが解消させる方向に移動させ、角度変化量が予め定められた角度変化量を超えるとき、前記選択オブジェクトの重なり順を逆転させるとともに、前記角度変化量に応じて、前記選択オブジェクトを元の位置に戻す方向に移動させることとした。
【００１２】
この構成によれば、表示部はタッチされた２点の方向と、タッチされた点の移動に応じて選択オブジェクトの表示位置を整列する。これにより、複数のオブジェクトを選択した後、タッチパネル部を２点タッチし、タッチした２点を動かす操作だけで、選択オブジェクトを整列させることができる。従って、複数のオブジェクトを整列させるための操作数を削減することができ、直感的（直観的）な操作によって素早く簡易に複数のオブジェクトを整列させることができる。又、従来、オブジェクトを整列させる上で表示されていたメニューやキーを表示せずに済み、表示部での表示を見やすくすることもできる。また、この構成によれば、タッチされた２点が横方向であるとき、一方の点を固定しつつ、他方の点を移動させることで、選択オブジェクトを左揃え又は右揃えで整列させることができる。これにより、指を動かす方向（左右方向）と選択オブジェクトが移動する方向（左揃え又は右揃え）が一致する。従って、指の動きと同じように選択オブジェクトが移動して、直感的な操作により、複数のオブジェクトを素早く簡易に左揃え又は右揃えで整列させることができる。また、この構成によれば、選択オブジェクト上で２点タッチするか否かにより、左揃えや右揃えを行うときの基準の位置を変えることができる。これにより、左揃えや右揃えの態様の選択肢が増える。従って、使用者の所望するように、選択オブジェクトを左揃えや右揃えで整列させやすくなり、左揃えや右揃えを行ううえでの表示入力装置の使い勝手を良くすることができる。また、この構成によれば、表示部は最初にタッチされた２点を結ぶ直線に対する現在のタッチされた２点を結ぶ直線の角度変化量が予め定められた角度変化量未満のとき、角度変化量に応じて、選択オブジェクトを重なりが解消させる方向に移動させ、角度変化量が予め定められた角度変化量を超えるとき、選択オブジェクトの重なり順を逆転させるとともに、角度変化量に応じて、選択オブジェクトを元の位置に戻す方向に移動させる。これにより、タッチされた２点を回転させる操作に応じて、重なった選択オブジェクトのうち、最も上層に表示する選択オブジェクトを切り替えることができる。従って、直感的な操作により、重なった複数のオブジェクトの表示順を切り替えることができる。
【００１７】
又、請求項２に係る発明は、タッチされた２点が縦方向であるとき、前記表示部は前記タッチパネル部が上側のタッチされた点が固定されつつ下側のタッチされた点が上方向に移動したことを受け付けた場合、前記選択オブジェクトを上方向に移動させることにより、前記選択オブジェクトの上端が予め定められた上揃え位置に揃うように前記選択オブジェクトの表示位置を上揃えで整列し、前記タッチパネル部が下側のタッチされた点が固定されつつ上側のタッチされた点が下方向に移動したことを受け付けた場合、前記選択オブジェクトを下方向に移動させることにより、前記選択オブジェクトの下端が予め定められた下揃え位置に揃うように前記選択オブジェクトの表示位置を下揃えで整列することとした。
【００１８】
この構成によれば、タッチされた２点が縦方向であるとき、一方の点を固定しつつ、他方の点を移動させることで、選択オブジェクトを上揃え又は下揃えで整列させることができる。これにより、指を動かす方向（上下方向）と選択オブジェクトが移動する方向（上揃え又は下揃え）が一致させることができる。従って、指の動きと同じように選択オブジェクトが移動し、直感的な操作により、複数のオブジェクトを素早く簡易に上揃え又は下揃えで整列させることができる。
【００１９】
又、請求項２に係る発明では、前記上揃え位置はタッチされた２点のいずれか１点の位置に前記選択オブジェクトが表示されているとき、タッチされた位置に表示された前記選択オブジェクトの上端の位置であり、タッチされた２点の両方の位置に前記選択オブジェクトが表示されていないとき、前記表示部の表示領域の上端もしくは最も上に位置する前記選択オブジェクトの上端の位置であり、前記下揃え位置はタッチされた２点の両方の位置に前記選択オブジェクトが表示されているとき、タッチされた位置に表示された前記選択オブジェクトの下端の位置であり、タッチされた２点のいずれか１点の位置に前記選択オブジェクトが表示されていないとき、前記表示部の表示領域の下端若しくは最も下に位置する前記選択オブジェクトの下端の位置とする。
【００２０】
この構成によれば、選択オブジェクト上で２点タッチするか否かにより、上揃えや下揃えを行うときの基準の位置を変えることができる。これにより、上揃えや下揃えの態様の選択肢が増える。従って、使用者の所望するように、選択オブジェクトを上揃えや下揃えで整列させやすくなり、上揃えや下揃えを行ううえでの表示入力装置の使い勝手を良くすることができる。
【００２１】
又、請求項３に係る発明は、請求項１又は２の発明において、タッチされた２点が横方向であるとき、前記表示部は前記タッチパネル部がタッチされた２点の間隔が左右方向に狭められたことを受け付けたとき、それぞれの前記選択オブジェクトの左右方向での中央が前記表示部の表示領域の左右方向での中央と揃うように前記選択オブジェクトの表示位置を整列することとした。
【００２２】
この構成によれば、表示部はタッチパネル部がタッチされた２点の間隔が左右方向に狭められたことを受け付けたとき、それぞれの選択オブジェクトの左右方向での中央が表示部の表示領域の左右方向での中央と揃うように選択オブジェクトの表示位置を整列する。これにより、タッチされた２点を中央に寄せるような操作に応じて、選択オブジェクトは表示部の表示領域での左右方向の中央に寄せて（中央揃えで）整列される。従って、指の動きと同じように選択オブジェクトが移動し、直感的な操作により、複数のオブジェクトを素早く簡易に左右方向での中央に整列させることができる。
【００２３】
又、請求項４に係る発明は、請求項１乃至３の発明において、タッチされた２点が縦方向であるとき、前記表示部は前記タッチパネル部がタッチされた２点の間隔が上下方向に狭められたことを受け付けたとき、それぞれの前記選択オブジェクトの上下方向での中央が前記表示部の表示領域の上下方向での中央と揃うように前記選択オブジェクトの表示位置を整列することとした。
【００２４】
この構成によれば、表示部はタッチパネル部がタッチされた２点の間隔が上下方向に狭められたことを受け付けたとき、それぞれの選択オブジェクトの上下方向での中央が表示部の表示領域の上下方向での中央と揃うように選択オブジェクトの表示位置を整列する。これにより、タッチされた２点を中央に寄せるような操作に応じて、選択オブジェクトは表示部の表示領域での上下方向の中央に寄せて（中央揃えで）整列される。従って、指の動きと同じように選択オブジェクトが移動し、直感的な操作により、複数のオブジェクトを素早く簡易に上下方向での中央に整列させることができる。
【００２５】
又、請求項５に係る発明は、請求項１乃至４の発明において、タッチされた２点が横方向であるとき、前記表示部は前記タッチパネル部がタッチされた２点の間隔が左右方向に広げられたことを受け付けたとき、それぞれの前記選択オブジェクトの左右方向での間隔が均等になるように前記選択オブジェクトの表示位置を整列することとした。
【００２６】
この構成によれば、表示部はタッチパネル部がタッチされた２点の間隔が左右方向に広げられたことを受け付けたとき、それぞれの選択オブジェクトの左右方向での間隔が均等になるように選択オブジェクトの表示位置を整列する。これにより、タッチされた２点を中央から遠ざけるような操作に応じて、各選択オブジェクトの間隔が均等になり、選択オブジェクトは表示部の表示領域での左右方向の中央から広がるように整列される（左右均等揃え）。従って、指の動きと同じように選択オブジェクトが移動し、直感的な操作により複数のオブジェクトを素早く簡易に左右方向での均等揃えで整列させることができる。
【００２７】
又、請求項６に係る発明は、請求項５の発明において、前記表示部は最も左に表示された前記選択オブジェクトと最も右に表示された前記選択オブジェクトを動かさないようにして、又は、最も左に表示された前記選択オブジェクトの左端を表示領域の左端に移動させるとともに最も右に表示された前記選択オブジェクトの右端を表示領域の右端に移動させて、それぞれの前記選択オブジェクトの左右方向での間隔が均等になるように前記選択オブジェクトの表示位置を整列することとした。
【００２８】
この構成によれば、表示部は左右両端の選択オブジェクトを移動させないようにして、左右方向での均等揃えで整列させる。これにより、複数のオブジェクトを素早く簡易に左右方向の均等揃えで整列させることができる。
【００２９】
又、請求項７に係る発明は、請求項１乃至６の発明において、タッチされた２点が縦方向であるとき、前記表示部は前記タッチパネル部がタッチされた２点の間隔が上下方向に広げられたことを受け付けたとき、それぞれの前記選択オブジェクトの上下方向での間隔が均等になるように前記選択オブジェクトの表示位置を整列することとした。
【００３０】
この構成によれば、表示部はタッチパネル部がタッチされた２点の間隔が上下方向に広げられたことを受け付けたとき、それぞれの選択オブジェクトの上下方向での間隔が均等になるように選択オブジェクトの表示位置を整列する。これにより、タッチされた２点を中央から遠ざけるような操作に応じ、各選択オブジェクトの間隔が均等になり、選択オブジェクトは表示部の表示領域での上下方向の中央から広がるように整列される（上下均等揃え）。従って、指の動きと同じように選択オブジェクトが移動し、直感的な操作により、複数のオブジェクトを素早く簡易に上下方向での均等揃えで整列させることができる。
【００３１】
又、請求項８に係る発明は、請求項７の発明において、前記表示部は最も上に表示された前記選択オブジェクトと最も下に表示された前記選択オブジェクトを動かさないようにして、又は、最も上に表示された前記選択オブジェクトの上端を表示領域の上端に移動させるとともに最も下に表示された前記選択オブジェクトの下端を表示領域の下端に移動させて、それぞれの前記選択オブジェクトの上下方向での間隔が均等になるように前記選択オブジェクトの表示位置を整列することとした。
【００３２】
この構成によれば、表示部は上下両端の選択オブジェクトを移動させない、あるいは、表示部の表示領域を最大限用いるようにして、上下方向での均等揃えで整列させる。これにより、複数のオブジェクトを素早く簡易に上下方向の均等揃えで整列させることができる。
【００３３】
又、請求項９に係る発明は、請求項１乃至８の発明において、重なった前記オブジェクトが選択された後、タッチされた２点が横方向であるとき、前記表示部は前記タッチパネル部が左側のタッチされた点が固定されつつ右側のタッチされた点が右方向に移動したことを受け付けた場合、重なった前記選択オブジェクトのうち、最も左側に位置する前記選択オブジェクトを動かさないようにしつつ、他の前記選択オブジェクトの表示位置を右方向にずらして重なりが無くなるように前記選択オブジェクトの表示位置を変え、前記タッチパネル部が右側のタッチされた点が固定されつつ左側のタッチされた点が左方向に移動したことを受け付けた場合、重なった前記選択オブジェクトのうち、最も右側に位置する前記選択オブジェクトを動かさないようにしつつ、他の前記選択オブジェクトの表示位置を左方向にずらして重なりが無くなるように前記選択オブジェクトの表示位置を変えることとした。
【００３４】
この構成によれば、表示部は重なったオブジェクトが選択された後、左右両端のいずれかの選択オブジェクトを基準として動かさないまま、基準とした選択オブジェクト以外の選択オブジェクトを移動させて重なりを解消する。これにより、タッチされた左右の２点のうち固定された点の方向と、左右両端の選択オブジェクトうち動かさない選択オブジェクトの方向を一致させつつ、選択オブジェクトの重なりが解消される。従って、指の動きと関連性を持たせつつ、選択オブジェクトの重なり解消することができる。
【００３５】
又、請求項１０に係る発明は、請求項１乃至９の発明において、重なった前記オブジェクトが選択された後、タッチされた２点が縦方向であるとき、前記表示部は前記タッチパネル部が上側のタッチされた点が固定されつつ下側のタッチされた点が下方向に移動したことを受け付けた場合、重なった前記選択オブジェクトのうち、最も上側に位置する前記選択オブジェクトを動かさないようにしつつ、他の前記選択オブジェクトの表示位置を下方向にずらして重なりが無くなるように前記選択オブジェクトの表示位置を変え、前記タッチパネル部が下側のタッチされた点が固定されつつ上側のタッチされた点が上方向に移動したことを受け付けた場合、重なった前記選択オブジェクトのうち、最も下側に位置する前記選択オブジェクトを動かさないようにしつつ、他の前記選択オブジェクトの表示位置を上方向にずらして重なりが無くなるように前記選択オブジェクトの表示位置を変えることとした。
【００３６】
この構成によれば、表示部は重なったオブジェクトが選択された後、上下両端のいずれかの選択オブジェクトを基準として動かさないまま、基準とした選択オブジェクト以外の選択オブジェクトを移動させて重なりを解消する。これにより、タッチされた上下の２点のうち固定された点の方向と、上下両端の選択オブジェクトうち動かさない選択オブジェクトの方向を一致させつつ、選択オブジェクトの重なりが解消される。従って、指の動きと関連性を持たせつつ、選択オブジェクトの重なり解消することができる。
【００３７】
又、請求項１１に係る発明は、請求項１乃至１０の発明において、整列された前記オブジェクトが選択された状態で前記タッチパネル部がタッチされた点を回転させる操作を受け付けたとき、前記判断部は回転角度に応じて基準点を設定するとともに、整列された複数の前記選択オブジェクトのうちの予め定められた特定箇所を結ぶ基準ラインを認識し、
前記表示部はタッチされた２点を結ぶ直線の角度変化に応じて、前記基準点を中心として回転させた前記基準ラインと前記特定箇所が重なるように、複数の前記選択オブジェクトの表示位置を変えることとした。
【００３８】
この構成によれば、表示部はタッチされた２点を結ぶ直線の角度変化に応じて、予め定められた基準点を中心として回転させた基準ラインに沿って複数の選択オブジェクトの表示位置を変える。これにより、タッチされた２点を回転させる操作に応じて、基準点を中心に回転させるように選択オブジェクトの表示位置を変えることができる。従って、指の動きと同じように選択オブジェクトが移動し、直感的な操作により、複数のオブジェクトを素早く簡易に回転するように移動させることができる。
【００３９】
又、請求項１２に係る発明は、請求項１１の発明において、整列された前記オブジェクトが選択された状態で前記タッチパネル部がタッチされた点を９０度回転させる操作を受け付けたとき、前記表示部は複数の前記選択オブジェクトの整列方向を左右方向から上下方向に、又は上下方向から左右方向に前記選択オブジェクトの表示位置を変えることとした。
【００４０】
この構成によれば、タッチパネル部がタッチされた点を９０度回転させる操作を受け付けたとき、表示部は複数の選択オブジェクトの整列方向を左右方向から上下方向に、又は上下方向から左右方向に選択オブジェクトの表示位置を変える。これにより、タッチされた２点の横と縦を切り替えるような操作に応じて、各選択オブジェクトの整列方向を左右方向と上下方向の間で切り替えることができる。従って、指の動きと同じように選択オブジェクトの整列方向が変化し、直感的な操作により、複数のオブジェクトの縦と横の整列方向を入れ替えることができる。
【００４３】
又、請求項１３に係る画像形成装置は、請求項１乃至１２のいずれか１項に記載の表示入力装置を含むこととした。
【００４４】
この構成によれば、オブジェクトの整列を簡易、直感的に行うことができ、使いやすい表示入力装置を含む。従って、使用者にとって使いやすい画像形成装置を提供することができる。
【発明の効果】
【００４５】
上述したように、本発明によれば、２点タッチにより、選択したオブジェクトの整列を簡易、直感的に行え、使いやすい表示入力装置、画像形成装置を提供することができる。
【図面の簡単な説明】
【００４６】
【図１】複合機の一例を示す正面模型的断面図である。
【図２】操作パネルの一例を示す平面図である。
【図３】複合機や操作パネルのハードウェア構成の一例を示すブロック図である。
【図４】操作パネルに表示されるホーム画面７の一例を示す説明図である。
【図５】電子付箋を貼り付けたコピー機能の初期設定画面の一例を示す説明図である。
【図６】ソフトウェアキーボード画面の一例を示す説明図である。
【図７】ボックス機能の初期設定画面の一例を示す説明図である。
【図８】データを示す画像やフォルダーを示す画像が表示されたボックス画面の一例を示す説明図である。
【図９】２点の角度に基づきタッチされている２点の縦と横の位置関係の判断の一例を示す説明図である。
【図１０】２点の距離に基づきタッチされている２点の縦と横の位置関係の判断の一例を示す説明図である。
【図１１】選択オブジェクトの左揃えの手法の一例を示す説明図である。
【図１２】選択オブジェクトの右揃えの手法の一例を示す説明図である。
【図１３】選択オブジェクトの上揃えの手法の一例を示す説明図である。
【図１４】選択オブジェクトの下揃えの手法の一例を示す説明図である。
【図１５】選択オブジェクトの左右中央揃えの手法の一例を示す説明図である。
【図１６】選択オブジェクトの上下中央揃えの手法の一例を示す説明図である。
【図１７】選択オブジェクトの左右均等配列の手法の一例を示す説明図である。
【図１８】選択オブジェクトの上下均等配列の手法の一例を示す説明図である。
【図１９】選択オブジェクトの重なりを解消するための左方向への移動の手法の一例を示す説明図である。
【図２０】選択オブジェクトの重なりを解消するための右方向への移動の手法の一例を示す説明図である。
【図２１】選択オブジェクトの重なりを解消するための上方向への移動の手法の一例を示す説明図である。
【図２２】選択オブジェクトの重なりを解消するための下方向への移動の手法の一例を示す説明図である。
【図２３】左右方向から上下方向に選択オブジェクトの整列方向を変える整列方向の変更の手法の一例を示す説明図である。
【図２４】上下方向から左右方向に選択オブジェクトの整列方向を変える整列方向の変更の手法の一例を示す説明図である。
【図２５】左右方向に並べられた選択オブジェクトの重なり順序を変える手法の一例を示す説明図である。
【図２６】上下方向に並べられた選択オブジェクトの重なり順序を変える手法の一例を示す説明図である。
【図２７】オブジェクトの整列の流れの一例を説明するためのフローチャートである。
【発明を実施するための形態】
【００４７】
以下、図１〜図２７を用い、実施形態を説明する。以下では、操作パネル１（表示入力装置に相当）を含む複合機１００（画像形成装置に相当）を例に挙げ説明する。但し、本実施の形態に記載されている構成、配置等の各要素は、発明の範囲を限定せず、単なる説明例にすぎない。
【００４８】
（画像形成装置の概略）
まず、図１を用い、実施形態に係る複合機１００の概略を説明する。図１は複合機１００の一例を示す正面模型的断面図である。
【００４９】
図１に示すように、複合機１００の正面前方には、複合機１００に関して各種設定を行うための操作パネル１が設けられる（詳細は後述）。又、図１に示すように、本実施形態の複合機１００は、上部に、画像読取部２ａと原稿搬送部２ｂが設けられ、内部に、給紙部３ａ、搬送部３ｂ、画像形成部４、中間転写部５ａ、定着部５ｂ、排出搬送部３ｃ、両面搬送部３ｄ等を備える。
【００５０】
原稿搬送部２ｂは原稿トレイ２１を有する。コピーやスキャンを行う原稿は原稿トレイ２１に載置される。そして、原稿搬送部２ｂは原稿トレイ２１から原稿を１枚ずつ、自動的に連続して読取位置（送り読取用コンタクトガラス２２）に搬送する。又、原稿搬送部２ｂは図１の紙面奥側を支点として画像読取部２ａに上下方向に開閉自在に取り付けられる。原稿搬送部２ｂは画像読取部２ａのコンタクトガラス（送り読取用コンタクトガラス２２及び載置読取用コンタクトガラス２３）を上方から押さえるカバーとして機能する。
【００５１】
図１に示すように、画像読取部２ａの上面には、送り読取用コンタクトガラス２２と書籍等の原稿を１枚ずつ読み取る際に原稿を載置する載置読取用コンタクトガラス２３が配される。又、画像読取部２ａ内には、ランプ、ミラー、レンズ、イメージセンサー等（不図示）が配される。イメージセンサーは原稿搬送部２ｂが送り読取用コンタクトガラス２２を通過させる原稿、あるいは、載置読取用コンタクトガラス２３に載置された原稿の反射光を元に、原稿を読み取る。そして、イメージセンサーは反射光を画像濃度に応じたアナログの電気信号に変換し、電気信号の量子化を行う。これにより、原稿の画像データが得られる。尚、本実施形態の画像読取部２ａは、カラーでも読み取り可能であり、白黒でも読み取り可能である。
【００５２】
複合機１００本体内の複数の給紙部３ａはそれぞれ、各サイズ（例えば、Ａ４、Ｂ４等のＡ型、Ｂ型の定型用紙やレターサイズ等）、各種用紙（例えば、コピー用紙、再生紙、厚紙、ＯＨＰシート等）を複数枚収容する。各給紙部３ａはそれぞれ回転駆動する給紙ローラー３１を備え、印刷時、１枚ずつ搬送部３ｂに用紙を送り込む。
【００５３】
搬送部３ｂは給紙部３ａから画像形成部４まで装置内で用紙を搬送する通路である。そして、搬送部３ｂには、用紙の案内のためのガイド板や、用紙搬送時に回転駆動する搬送ローラー対３２（図２おいて、上方から３２ａ、３２ｂ、３２ｃの計３つ）や、搬送される用紙を画像形成部４の手前で待機させ、形成されたトナー像の転写タイミングに合わせ用紙を送り出すレジストローラー対３３等が設けられる。
【００５４】
画像形成部４は複数の画像形成ユニット４０（ブラック用の４０Ｂｋ、イエロー用の４０Ｙ、シアン用の４０Ｃ、マゼンタ用の４０Ｍ）と露光装置４１を含む。画像形成ユニット４０は回転駆動可能に支持された感光体ドラムや、感光体ドラムの周囲に配設された帯電装置、現像装置、清掃装置等を備える。露光装置４１は画像読取部２ａで読み取られた画像データや後述の記憶装置６２に記憶される画像データ等に基づき、レーザ光を点消灯しつつ出力し、各感光体ドラムを走査露光する。そして、各画像形成ユニット４０と露光装置４１により、各感光体ドラムの周面上にトナー像が形成される。
【００５５】
中間転写部５ａは各画像形成ユニット４０からトナー像の１次転写を受け、シートに２次転写を行う。中間転写部５ａは、各１次転写ローラー５１Ｂｋ〜５１Ｍ、中間転写ベルト５２、駆動ローラー５３、複数の従動ローラー５４（５４ａ〜５４ｃ）、２次転写ローラー５５、ベルト清掃装置５６等を含む。中間転写ベルト５２は駆動ローラー５３等に張架され、モータ等の駆動機構（不図示）に接続される駆動ローラー５３の回転駆動により周回する。そして、各１次転写ローラー５１Ｂｋ〜５１Ｍには、転写用電圧が印加され、各感光体ドラムのトナー像は中間転写ベルト５２に転写される。ずれなくトナー像を重畳して中間転写ベルト５２に１次転写した後、所定の電圧を印加された２次転写ローラー５５により、シートにトナー像が転写される。
【００５６】
定着部５ｂは用紙に転写されたトナー像を定着させる。定着部５ｂは発熱体を内蔵する加熱ローラー５７とこれに圧接する加圧ローラー５８を含む。そして、用紙が加熱ローラー５７と加圧ローラー５８のニップを通過すると、トナーが溶融・加熱され、トナー像が用紙に定着する。定着部５ｂから排出された用紙は、排出トレイ３４方向に送られる。
【００５７】
排出搬送部３ｃは印刷済の用紙を排出トレイ３４方向又は両面搬送部３ｄの方向に用紙搬送方向を仕分ける。そして、排出搬送部３ｃは正回転方向に回転駆動して排出トレイ３４の方向に送り出す、或いは、両面印刷のため逆回転しスイッチバックを行う排出ローラー対３５を有する。又、排出搬送部３ｃは用紙の搬送方向を切り替えるため、切替弁３６を有する。切替弁３６は回動する。切替弁３６は、両面搬送部３ｄを閉じて用紙を排出トレイ３４方向に導く位置を基本位置とし、両面印刷の際、回動してスイッチバックされた片面印刷済みの用紙を両面搬送部３ｄに導く。両面搬送部３ｄは、定着部５ｂの下流側とレジストローラー対３３の上流側とを結ぶ。両面搬送部３ｄには、両面印刷のため、回転駆動する複数の両面搬送ローラー対３７〜３９が設けられ、片面印刷済の用紙が搬送される。
【００５８】
（操作パネル１）
次に、図２を用いて、実施形態に係る操作パネル１の一例を説明する。図２は操作パネル１の一例を示す平面図である。
【００５９】
図１に示すように、操作パネル１は複合機１００の正面上方に設けられる。そして、操作パネル１は表示部１１、タッチパネル部１２、ハードキー（例えば、数字入力用のテンキー部１３やコピー等の処理開始指示用のスタートキー１４等）を含む。
【００６０】
例えば、表示部１１は液晶表示パネルである。表示部１１は有機ＥＬパネルなど他種の表示パネルでもよい。表示部１１は複合機１００の設定を行うためのメニューやキーが配された画面、画像を表示する。使用者は表示部１１に表示されたキーを指定して、複合機１００の各種設定を入力できる。又、表示部１１は複合機１００等の状態メッセージ等の各種画像、画面を表示する。
【００６１】
又、表示部１１の上面にタッチパネル部１２が設けられる。タッチパネル部１２は使用者がタッチした位置、座標を検知する。キーの表示位置とタッチされた位置を比較することで、使用者が指定するキーが特定され、使用者の入力が受け付けられる。
【００６２】
タッチパネル部１２は同時にタッチされた複数の位置を認識できる。そのため、タッチパネル部１２には投影型の静電容量方式のタッチパネルを用いることができる。尚、同時にタッチされた複数の位置を認識できればよく、必ずしも、タッチパネル部１２は静電容量方式のものに限られない。
【００６３】
そして、本実施形態の表示部１１はオブジェクト８を表示する。オブジェクト８は操作パネル１への入力を行うことにより追加して付す（表示させる）ことができる画像であり、表示位置が移動可能な画像でもある。そして、タッチパネル部１２を用いて、オブジェクト８の整列を行うことができる。オブジェクト８としては、電子付箋８１（文字列を含むメモ書きのような画像）や、データやファイルを示す画像などがある（詳細は後述）。
【００６４】
（複合機１００等のハードウェア構成）
次に、図３を用いて、実施形態に係る複合機１００や操作パネル１のハードウェア構成の一例を説明する。図３は複合機１００や操作パネル１のハードウェア構成の一例を示すブロック図である。
【００６５】
まず、複合機１００本体内には、主制御部６が設けられる。例えば、主制御部６は操作パネル１、原稿搬送部２ｂ、画像読取部２ａ、給紙部３ａ、搬送部３ｂ、画像形成部４、定着部５ｂ、排出搬送部３ｃ等と接続され、これらの制御を行う。
【００６６】
例えば、主制御部６はＣＰＵ６１等の制御を行う素子を含む。ＣＰＵ６１は記憶装置６２に格納され、展開される制御プログラムに基づき演算等を行い、複合機１００の各部を制御する。尚、主制御部６は全体制御や画像処理を行うメイン制御部や、画像形成や各種回転体を回転させるモータ等のＯＮ／ＯＦＦ等を行い、印刷を制御するエンジン制御部等、機能ごとに分割して複数種設けられてもよい。本説明では、これらの制御部を主制御部６としてまとめた形態を示し、説明する。
【００６７】
記憶装置６２は主制御部６と接続される。記憶装置６２はＲＯＭ、ＲＡＭ、ＨＤＤ等の不揮発性と揮発性の装置を組み合わせたものである。記憶装置６２は複合機１００の制御用プログラム、制御用データ、設定データ、画像データ等の各種データを記憶できる。
【００６８】
そして、主制御部６は各種コネクタ、ソケットやＦＡＸモデム等を備えたインターフェイス部（以下、通信部６３）と接続される。通信部６３はネットワークや公衆回線等により複数の外部のコンピューター２００（例えば、パーソナルコンピューターやサーバー）や相手方ＦＡＸ装置３００（図３では、いずれも便宜上１つのみ図示）と接続される。例えば、画像読取部２ａで得られた画像データを記憶装置６２に記憶させることや（ボックス機能）、外部のコンピューター２００や相手方ＦＡＸ装置３００に送信することができる（スキャナ機能、ＦＡＸ機能）。又、外部のコンピューター２００や相手方ＦＡＸ装置３００から送信され、複合機１００に入力される画像データに基づき印刷、ＦＡＸ送信等を行うこともできる（プリンター機能、ＦＡＸ機能）。
【００６９】
又、例えば、主制御部６には、画像読取部２ａで原稿を読み取って得られた画像データや通信部６３を介して複合機１００に入力された画像データに対し、画像処理を施す画像処理部６４が設けられる。例えば、画像処理部６４が処理した画像データは露光装置４１に送信され、感光体ドラムの走査・露光に用いられたり、記憶装置６２に記憶されたりする。
【００７０】
又、主制御部６は、操作パネル１になされた入力を認識し、使用者の設定にあわせてコピーやスキャンなどのジョブが行われるように複合機１００を制御する。本実施形態の操作パネル１はパネル制御部１０（判断部に相当）、表示部１１、タッチパネル部１２、ハードキー（例えば、テンキー部１３やスタートキー１４）、メモリー１５、ドライバ回路１６等を含む。パネル制御部１０はＣＰＵやＩＣ等で構成される。パネル制御部１０は表示部１１の表示を制御し、タッチパネル部１２の出力を受け、タッチされた位置（座標）を特定する。タッチパネル部１２の出力と位置（座標）の対応を示すテーブル等のデータはメモリー１５に記憶される。メモリー１５はＲＯＭやＲＡＭを含む。パネル制御部１０はタッチ位置とタッチされたときの表示部１１が表示していた画面の画像データを比較し、タッチされた位置に表示されていたキーを認識する。これにより、パネル制御部１０は使用者により指定されたキーを認識する。
【００７１】
通常の操作において、複合機１００の各機能を選択し、選択した機能で設定可能な設定項目（例えば、コピー機能であれば、拡大縮小や濃度や集約や両面等）を選択し、選択した設定項目で設定値を設定するには、表示部１１における最上層の表示（ホーム画面７、図４参照）から、表示部１１に表示されるキーの指定（選択）を繰り返す。そして、キーの指定（選択）ごとに表示部１１の表示画面を切り換え、最終的に、設定しようとする機能の設定値が設定される。この機能の選択、設定が行われたことをパネル制御部１０は認識し、その内容を本体の主制御部６に送信する。これにより、主制御部６は使用者の意思が印刷等のジョブで反映されるように操作パネル１で選択、設定された機能を反映した動作を画像形成部４等の各部に行わせる。
【００７２】
そして、表示部１１で表示される画面、画像の画像データは例えば、操作パネル１内のメモリー１５が記憶する。従って、パネル制御部１０はタッチされた位置に表示されたキーに応じ、次に表示すべき画面や画像の画像データをメモリー１５から読み出す。尚、表示部１１が表示する画面、画像の画像データは本体側の記憶装置６２に記憶させてもよい。この場合、操作パネル１は表示部１１で表示を行うための画像データを、主制御部６を介し記憶装置６２から受ける。いずれにしても、パネル制御部１０は表示部１１の表示を実際に制御するドライバ回路１６（例えば、表示部１１が液晶表示パネルであれは、液晶ドライバＩＣ）に指示を与え、画像データに基づき表示部１１に表示を行わせる。尚、操作パネル１には、パネル制御部１０、メモリー１５を設けず、主制御部６の構成（ＣＰＵ６１や記憶装置６２）が、パネル制御部１０やメモリー１５の機能を代用しても良い。
【００７３】
又、タッチパネル部１２にはタッチされた位置を検知するための位置検知部１２１が設けられる。例えば、位置検知部１２１はタッチ位置（タッチされた点の座標）を検知するためのＩＣである。例えば、タッチパネル部１２が静電容量方式で投影型のパネルを含むのであれば、位置検知部１２１はタッチパネル部１２で静電容量の変化を検知し、１又は複数の同時にタッチされた位置を示す信号を出力する。パネル制御部１０は位置検知部１２１の出力に基づき、タッチされた位置を認識する。
【００７４】
（ホーム画面７と機能の選択）
次に図４を用いて、本実施形態の操作パネル１に表示されるホーム画面７を説明する。図４は操作パネル１に表示されるホーム画面７の一例を示す説明図である。
【００７５】
本実施形態の操作パネル１では、用いる機能を選択するためのホーム画面７が設けられる。ホーム画面７は階層的に最上位の階層にあたる。例えば、操作パネル１に設けられたクリアキー１７やリセットキー１８が押されたとき（図２参照）、パネル制御部１０はホーム画面７を表示部１１に表示させる。又、例えば、操作パネル１に対する入力（タッチパネル部１２へのタッチやハードキーを押す操作）が無くなってから予め定められた時間の経過や、ジョブの完了により、パネル制御部１０は現状の設定内容を破棄しホーム画面７を表示部１１に表示させてもよい（オートクリア）。
【００７６】
例えば、ホーム画面７では、機能選択キーとして、コピーキーＫ１、アプリケーションキーＫ２、ボックスキーＫ３、プログラムキーＫ４、スキャン送信キーＫ５、状況確認キーＫ６が設けられる。タッチパネル部１２はタッチされた位置を示すデータ（信号）をパネル制御部１０に出力する。パネル制御部１０はタッチパネル部１２の出力に基づき、タッチされた位置に表示されている機能選択キーの機能が指定されたと認識する。そして、指定された機能の初期設定画面を表示する。例えば、コピー機能が指定されたと認識したとき、パネル制御部１０はコピー機能の初期設定画面７１を表示する。このように、使用者はホーム画面７で使用する機能を選択できる。
【００７７】
（電子付箋８１）
次に、図５〜図６を用いて、オブジェクト８としての電子付箋８１を説明する。図５は電子付箋８１を貼り付けたコピー機能の初期設定画面７１の一例を示す説明図である。図６はソフトウェアキーボード画面７２の一例を示す説明図である。
【００７８】
上述のように、オブジェクト８とは表示位置を変えることができる画像である。そして、図５〜図６を用いて、オブジェクト８の一例としての電子付箋８１を説明する。尚、電子付箋８１とは、表示部１１が表示する画像であり、付箋紙のように画面に貼り付けられ、注意書きなどのテキストデータを含む画像である。
【００７９】
電子付箋８１を説明する上で、まず、図５に示すコピー機能の設定画面の一例を説明する。図５に示すコピー機能の初期設定画面７１はホーム画面７でコピーキーＫ１が押されると、パネル制御部１０が最初に表示部１１に表示させる画面である。
【００８０】
例えば、図５に示すように、コピー機能の初期設定画面７１には、よく用いられる設定項目の設定を行うための複数の簡単設定キーＫ７〜Ｋ１２が設けられる。図５では、「用紙選択」の設定項目の簡単設定キーＫ７や「拡大／縮小」の設定項目の簡単設定キーＫ８等が表示されている例を示している。
【００８１】
又、初期設定画面７１に表示されない設定項目（例えば、枠消しの設定項目や余白の設定項目や読取解像度の設定項目や原稿種類の設定項目など多数）を設定するには、簡単設定タブＴＢ１に並ぶ原稿／用紙／仕上げタブＴＢ２や、カラー／画質タブＴＢ３や、レイアウト編集タブＴＢ４や、応用／その他タブＴＢ５やプログラムタブＴＢ６が表示されている位置をタッチする。それぞれの設定項目はいずれかのタブに予め関連づけられる。タブが表示された位置がタッチされると、パネル制御部１０はタッチにより指定されたタブに関連づけられた設定項目を示す設定キーを一覧的に表示した設定画面を表示部１１に表示させる。そして、使用者はいずれかのタブの表示位置をタッチし、その後に表示されたいずれかの設定項目の設定キーの表示位置をタッチし、所望の設定項目を指定する。これにより、パネル制御部１０は指定された設定項目の設定画面を表示する。例えば、集約印刷の設定項目を指定したとき、集約印刷の設定画面では、２ｉｎ１や４ｉｎ１などの設定値や境界線の種別などの設定値を設定することができる。このように、設定画面を切り替えつつ、使用者は所望の設定項目について設定値を設定できる。
【００８２】
次に、電子付箋８１の作成を説明する。電子付箋８１を作成する場合、使用者は電子付箋８１を新規に付したい画面（設定画面）で予め定められた操作を操作パネル１に行う。例えば、同じ位置の複数回（例えば、２回や３回）のタッチや、タッチの位置を動かさないままの長押しなど、電子付箋８１の作成を開始するためのタッチ方法が予め定められてもよい。又、操作パネル１に電子付箋８１を作成し、画面に付すモードを呼び出すためのハードキーが操作パネル１に設けられてもよい。
【００８３】
パネル制御部１０はタッチパネル部１２が電子付箋８１の作成をする旨の指示入力を受け付けたことを認識すると、表示部１１に図６に示すようなソフトウェアキーボード画面７２を表示部１１に表示させる。タッチパネル部１２は表示された文字や記号などのキーに対するタッチを受け付ける。パネル制御部１０はタッチパネル部１２の出力に基づき、タッチされた位置に表示されたキーを認識し、入力内容（入力された文字や数字や記号）を認識する。又、タッチパネル部１２は入力内容の修正や削除も受け付ける。これにより、使用者はソフトウェアキーボードを用いて、電子付箋８１内に表示させる漢字、かな文字、カタカナ、アルファベット、数字、各種記号を手入力できる。
【００８４】
そして、パネル制御部１０はタッチパネル部１２がソフトウェアキーボード画面７２を閉じる入力を受け付けると、ソフトウェアキーボード画面７２での入力内容を含む電子付箋８１を、電子付箋８１の作成を指示した画面に表示させる。図５では、表示部１１がコピー機能の初期設定画面７１の右上に「原稿と用紙サイズと倍率を確認」の文字列を含む電子付箋８１と、「両面、集約を原則使用すること」の文字列を含む電子付箋８１を表示している例を示している。
【００８５】
使用者は電子付箋８１をタッチし、タッチしている位置をずらすことにより所望の位置に電子付箋８１の表示位置を設定することができる。言い換えると、パネル制御部１０はタッチパネル部１２の出力に基づき、電子付箋８１の表示位置がタッチされ、タッチしたままタッチ位置が移動させられた操作（ドラッグアンドドラッグ操作）を認識し、タッチ位置の移動にあわせて表示部１１にタッチされた電子付箋８１の表示位置を移動させる。
【００８６】
例えば、操作パネル１のメモリー１５は電子付箋８１ごとに、表示すべき画面を示す情報や、画面での表示位置（座標）を示す情報や、電子付箋８１のサイズや、電子付箋８１に含まれる内容（文字列等）を示す情報を含むオブジェクトデータを記憶する。尚、オブジェクトデータは記憶装置６２に記憶させてもよい。そして、表示部１１の表示切り替えがあったとき、パネル制御部１０は記憶されたオブジェクトデータを確認し、表示すべき電子付箋８１の有無を確認する。表示すべき電子付箋８１があれば、パネル制御部１０は表示部１１に表示させる。このように、パネル制御部１０は画面の切り替えがなされると、新たに表示する画面に対して作成された電子付箋８１を表示部１１に表示させる。
【００８７】
尚、各電子付箋８１内に（電子付箋８１の画像の領域内に）、×印が表示される。タッチパネル部１２が×印の位置がタッチされたことを受け付けると、パネル制御部１０は×印がタッチされた電子付箋８１の表示を表示部１１にやめさせる。これにより、使用者は不要な電子付箋８１を消すことができる。
【００８８】
（データを示す画像やフォルダーを示す画像）
次に、図７、図８を用いて、オブジェクト８としてのデータを示す画像（以下、便宜上「データ画像８２」と称する）やフォルダーを示す画像（以下、便宜上「フォルダー画像８３」と称する）を説明する。図７はボックス機能の初期設定画面７３の一例を示す説明図である。図８はデータを示す画像やフォルダーを示す画像が表示されたボックス画面７４の一例を示す説明図である。
【００８９】
データ画像８２やフォルダー画像８３を説明する上で、まず、図７と図８に示すボックス機能の各種設定画面の一例を説明する。ホーム画面７でボックスキーＫ３の表示位置がタッチされ、ボックス機能が指定されたとき、パネル制御部１０はボックス機能の最初の設定画面として、図７に示す初期設定画面７３を表示部１１に表示させる。記憶装置６２（ＨＤＤ）の記憶領域の一部がボックス機能用に割り当てられる。例えば、使用者はボックス内に画像データを記憶させたり、ボックス内に記憶させた画像データを再利用（印刷や送信等）したりすることができる。
【００９０】
初期設定画面７３ではボックス名一覧表示領域Ｒ１が設けられる。ボックス名一覧表示領域Ｒ１内をタッチすることにより、用いたいボックスを指定することができる。そして、ボックスを指定した後、文書保存キーＫ１３の表示位置をタッチすることで、画像読取部２ａで原稿を読み取ることにより得られた画像データを指定したボックス（記憶装置６２のＨＤＤ）内に記憶させることができる。パネル制御部１０はボックスに新たに記憶された画像データに対応するデータ画像８２を新たに作成し、ボックスが開かれたとき画像データを示す画像として表示部１１に表示させる。尚、文書保存キーＫ１３が指定されると、パネル制御部１０はスキャン内容の設定画面（例えば、解像度や原稿サイズや読み取りで得られる画像データのサイズを設定するための画面）が表示部１１に表示され、使用者に原稿読み取りや画像データのボックスへの格納に関する設定を行わせる。又、ボックスを指定した後、開くキーＫ１４の表示位置をタッチすることで、ボックス内に格納されている画像データ等のデータの再利用（印刷や送信）を行うことができる。
【００９１】
そして、ボックスが指定された状態で開くキーＫ１４が指定されると、図８に示すように、パネル制御部１０は指定されたボックスに格納されたデータの利用（印刷や送信）に関する設定画面であるボックス画面７４を表示させ、ボックス内のデータの再利用に関する設定を行わせる。図８は図７に示されたボックスのうち、「Ｋａｉｈａｔｕ」を開いたときのボックス画面７４の一例を示す。
【００９２】
パネル制御部１０はボックス画面７４内に、ボックスに格納されたデータを示すデータ画像８２や、ボックス内で作成されたフォルダーを示すフォルダー画像８３を表示部１１に表示させる。例えば、データ画像８２はアイコンと文書名（データ名）の組み合わせである。尚、データ画像８２には生成日時やサイズなどの情報が付加して表示されてもよい。
【００９３】
又、フォルダー画像８３はアイコンやフォルダー名を示す画像を含む。タッチパネル部１２はデータ画像８２やフォルダー画像８３の表示位置へのタッチにより、用いるデータやフォルダーを指定する入力を受け付ける。又、パネル制御部１０はタッチパネル部１２の出力に基づき、フォルダー画像８３の表示位置がタッチされたことを認識すると、フォルダーに含むと定められたデータに対応するデータ画像８２を新たに表示部１１に表示させる（１階層下がる）。
【００９４】
又、ボックス画面７４内には、印刷キーＫ１５や送信キーＫ１６やプレビューキーＫ１７やフォルダー作成キーＫ１８などが配される。用いるデータが指定された状態で印刷キーＫ１５の表示位置がタッチされたことをタッチパネル部１２が受け付けると、主制御部６は給紙や用紙搬送や画像形成を制御して、指定されたデータ画像８２に対応するデータに基づいた印刷を行わせる。用いるデータが指定された状態で送信キーＫ１６の表示位置がタッチされたことをタッチパネル部１２が受け付けると、主制御部６は画像処理部６４や通信部６３を制御して、指定されたデータ画像８２に対応するデータの送信を行わせる。用いるデータが指定された状態でプレビューキーＫ１７の表示位置がタッチされたことをタッチパネル部１２が受け付けると、パネル制御部１０は指定されたデータ画像８２に対応するデータの内容を示すプレビュー画像を表示部１１に表示させる。フォルダー作成キーＫ１８の表示位置がタッチされたことをタッチパネル部１２が受け付けると、パネル制御部１０は図６に示すようなソフトウェアキーボード画面７２を表示し、ソフトウェアキーボード画面７２で設定されたフォルダー名のフォルダーを作成し作成されたフォルダー名のフォルダー画像８３を表示部１１に表示させる。
【００９５】
例えば、操作パネル１のメモリー１５はデータ画像８２やフォルダー画像８３が新規に作成されると、データ画像８２やフォルダー画像８３ごとに、表示すべき画面を示す情報や、画面での表示位置（座標）を示す情報や、表示するサイズや、データ画像８２やフォルダー画像８３に含まれる内容（名前等）を示すオブジェクトデータを記憶する。又、メモリー１５は表示位置が移動させられたデータ画像８２やフォルダー画像８３について、表示すべき画面を示す情報や、画面での表示位置（座標）を示す情報を更新し、オブジェクトデータを更新する。そして、表示部１１の表示切り替えがあったとき、パネル制御部１０はメモリー１５の記憶内容（オブジェクトデータ）を確認し、表示すべきデータ画像８２やフォルダー画像８３の有無を確認する。表示すべきデータ画像８２やフォルダー画像８３があれば、パネル制御部１０は表示部１１に表示させる。このように、パネル制御部１０は画面の切り替えがなされると、新たに表示する画面に対してデータ画像８２やフォルダー画像８３をオブジェクトデータの定義に応じて表示部１１に表示させる。
【００９６】
尚、各種設定画面は多様であるので便宜上、コピー機能とボックス機能の一部の設定画面のみについて説明した。しかし、図示はしないが、アプリケーション機能が指定されると、パネル制御部１０は記憶装置６２にインストールされたアプリケーションの呼び出しや設定を行うための初期設定画面を表示部１１に表示させる。例えば、アプリケーションは複合機１００の使いやすさを高めるためのプログラムやデータである。例えば、名刺等の原稿をスキャンした画像データのテキストデータ化やデータベース化を行うアプリケーションや、原稿をスキャンしたデータの電子文書化を行うアプリケーションなど、目的に合わせ多様なアプリケーションがある。
【００９７】
又、スキャン送信機能が指定されると、パネル制御部１０は画像読取部で原稿を読み取ることで得られた画像データを送信するための設定画面を表示部１１に表示させる。スキャン送信機能はジョブ開始に伴い画像読取部２ａに原稿を読み取らせ、読み取りで得られた原稿の画像データを、Ｅメールとして送信したり、所望のコンピューター２００に送信したり、ＦＡＸ装置３００に送信したりする機能である。例えば、使用者は、アドレス帳画面で宛先を指定したり、送信方法を指定したり、各種設定を行うことができる。
【００９８】
又、プログラム機能が指定されると、パネル制御部１０は予め定められたプログラムの呼び出し（起動）や、プログラムの作成を行うための初期設定画面を表示部１１に表示させる。プログラムは操作パネル１での１又は複数の設定項目の設定値を予め定義したものである。例えば、良く組み合わせて用いられる各設定項目の設定値がプログラムとして予め定義される（予め登録される）。プログラムを呼び足すことで、パネル制御部１０は呼び出されたプログラムで定義された各設定項目の設定値で設定がなされたと認識する。これにより、１タッチで複数の設定項目の設定値を設定した状態とすることができる。
【００９９】
又、状況確認キーＫ６が指定されると、パネル制御部１０は複合機１００の状態を表示するための状態表示画面を表示部１１に表示させる。例えば、パネル制御部１０は状態表示画面内に、印刷中や原稿読み取り中など、実行中のジョブの内容を表示部１１に表示させる。又、パネル制御部１０は状態表示画面内に累計印刷枚数や各給紙部３ａでの用紙残量などを表示部１１に表示させてもよい。あるいは、パネル制御部１０は記憶装置６２の使用量や残容量など、複合機１００内の装置、部分に関する状態を表示部１１に表示させてもよい。
【０１００】
これらのアプリケーション機能、スキャン送信機能、プログラム機能、状況確認機能が選択されたときに表示される画面にも、表示部１１は電子付箋８１やデータ画像８２のようなオブジェクト８を表示することがある。
【０１０１】
（オブジェクト８の整列の概要と整列するオブジェクト８の選択）
次に、オブジェクト８の整列の概要と整列するオブジェクト８の選択について説明する。
【０１０２】
上述のように、本実施形態の操作パネル１は各種の設定図面に電子付箋８１等のオブジェクト８を表示する。そして、使用者はタッチパネル部１２への入力を行うことにより、複数のオブジェクト８の整列を行うことができる。表示部１１に表示されたオブジェクト８の整列をするには、まず、使用者は整列させるオブジェクト８を選択する。尚、以下の説明では、選択されたオブジェクト８を「選択オブジェクト９」と称する。
【０１０３】
オブジェクト８を選択する手順、操作方法は任意に定めることができる。例えば、タッチパネル部１２を指でなぞる操作により、オブジェクト８を選択できるようにしてもよい。この場合、パネル制御部１０はタッチパネル部１２の出力に基づき、タッチされた位置の軌跡を認識し、タッチ位置の軌跡上に表示される１又は複数のオブジェクト８が選択されたと認識する。又、オブジェクト８が表示された位置へのタッチ（２つ以上のオブジェクト８であれば、２点以上の同時のタッチ）によりオブジェクト８を選択できるようにしてもよい。この場合、パネル制御部１０はタッチパネル部１２の出力に基づき、１又は複数のタッチされた位置を認識し、タッチされた位置に表示された１又は複数のオブジェクト８が選択されたと認識する。あるいは、各オブジェクト８に対しチェックボックスを付しておき、チェックボックスにチェックを入れる操作によりオブジェクト８を選択できるようにしてもよい。この場合、パネル制御部１０はタッチパネル部１２の出力に基づき、チェックボックスの表示位置がタッチされたオブジェクト８を認識し、オブジェクト８が選択されたと認識する。このように、オブジェクト８を選択する手法は様々であるが、タッチパネル部１２はオブジェクト８の選択を受け付け、パネル制御部１０は選択されたオブジェクト８を認識する。
【０１０４】
そして、使用者はオブジェクト８を選択した後、２点タッチを行うことにより、選択オブジェクト９の整列を行うことができる（整列の態様についての詳細は後述）。パネル制御部１０はタッチされた２点の方向（縦方向であるか横方向であるか）、及び、タッチされた点の動かし方に応じ、表示部１１に選択オブジェクト９の整列を行わせる。
【０１０５】
又、使用者によってタッチパネル部１２に２点タッチが行われると、画面に表示されているオブジェクト８の全てが選択されたと見なすようにしてもよい。言い換えると、オブジェクト８の選択とは、画面に表示された全てのオブジェクト８を選択することである。この場合、タッチパネル部１２は２点タッチを受け付ける。そして、パネル制御部１０はタッチパネル部１２の出力に基づき、表示部１１に表示された全てのオブジェクト８が選択されたと認識する。この後、画面に表示された全てのオブジェクト８はタッチされた点の移動の態様に応じて整列される。
【０１０６】
あるいは、タッチパネル部１２への予め定められた入力（複数回連続したほぼ同じ位置へのタッチなど）が行われると、画面に表示されているオブジェクト８の全てが選択されたと見なすようにしてもよい。そして、整列から外したいオブジェクト８をタッチして、タッチされた位置に表示されたオブジェクト８が選択から外されてもよい。言い換えると、いったん表示されている全てのオブジェクト８が選択された状態となり、タッチ等により整列させたくないオブジェクト８を選択された状態から外してゆく。この場合、タッチパネル部１２は予め定められた入力を受け付ける。そして、パネル制御部１０はタッチパネル部１２の出力に基づき、表示部１１に表示された全てのオブジェクト８が選択されたと認識する。又、タッチパネル部１２は選択された状態のオブジェクト８のうち、選択を外す入力を受け付ける。パネル制御部１０はタッチパネル部１２の出力に基づき、表示部１１に表示されたオブジェクト８のうち整列から外す（選択状態から外す）オブジェクト８を認識する。この後、２点タッチとタッチされた点の移動の態様に応じて選択オブジェクト９が整列される。
【０１０７】
このように、タッチパネル部１２は表示部１１に表示されたオブジェクト８の一部又は全てを選択オブジェクト９として選択する入力を受け付ける。そして、パネル制御部１０はタッチパネル部１２の出力に基づき、表示部１１に表示されたオブジェクト８の一部又は全てが選択されたことを認識する。
【０１０８】
（タッチされている２点の位置関係の判別）
次に、図９、図１０を用いて、オブジェクト８の選択と同時にタッチされている２点の位置関係の判断手法を説明する。図９は２点の角度に基づきタッチされている２点の縦と横の位置関係の判断の一例を示す説明図である。図１０は２点の距離に基づきタッチされている２点の縦と横の位置関係の判断の一例を示す説明図である。
【０１０９】
上述のように、本実施形態の複合機１００、操作パネル１では、各種の設定図面に電子付箋８１等のオブジェクト８を選択し、選択したオブジェクト８を整列させることができる。そして、パネル制御部１０はタッチパネル部１２でタッチされた２点が縦方向であるか横方向であるかを判断し、判断結果とタッチされた２点の動かし方に応じ、表示部１１に選択オブジェクト９の整列を行わせる。そこで、タッチされた２点の位置関係の判断を説明する。
【０１１０】
まず、パネル制御部１０はタッチパネル部１２の出力に基づき、同時にタッチされた２点の位置（座標）を認識する。そして、パネル制御部１０はタッチされている２点が縦方向であるか横方向であるか、２点の角度に基づき判断する。具体的には、図９に示すように、パネル制御部１０はタッチされている２点のうち、一方の点を基点Ｐ０とする。２点のうちいずれを基点Ｐ０とするかは任意に定めることができるが、例えば、パネル制御部１０は２点のうち、縦方向において、下方（上方でもよい）に位置する点を常に基点Ｐ０として扱ってもよい。
【０１１１】
そして、パネル制御部１０は基点Ｐ０に対し、他方の点が予め定められた角度範囲に含まれるか否かにより、タッチされた２点が縦方向であるか横方向であるかを判断する。図９では、基点Ｐ０を中心として、−４５°〜４５°の範囲（網掛けで示す角度範囲θ１）と、１３５°〜２２５°の範囲（網掛けで示す角度範囲θ２）が予め定められた角度範囲として示している。尚、予め定められた角度範囲は適宜定めることができる。
【０１１２】
図９を用いて、例を説明する。基点Ｐ０に対し、図９の点Ｐ１は予め定められた角度範囲に含まれる（収まる）。この場合、パネル制御部１０はタッチされた２点（基点Ｐ０と点Ｐ１）は横方向の位置関係にあると判断する。一方、図９の例では、基点Ｐ０に対し、図９の点Ｐ２は予め定められた角度範囲に含まれない（収まらない）。この場合、パネル制御部１０はタッチされた２点（基点Ｐ０と点Ｐ２）は縦方向の位置関係にあると判断する。
【０１１３】
又、パネル制御部１０はタッチされている２点が縦方向であるか横方向であるか、２点の縦方向での距離と横方向での距離の長短に基づき判断してもよい。具体的には、図１０に示すように、パネル制御部１０はタッチされている２点の横方向の距離（横方向距離Ｘ１）と縦方向の距離（縦方向距離Ｙ１）を比較する。そして、パネル制御部１０は横方向距離Ｘ１の方が長ければ、タッチされた２点の位置関係は横方向と判断する。一方、パネル制御部１０は縦方向距離Ｙ１の方が長ければ、タッチされた２点の位置関係は縦方向と判断する。
【０１１４】
（選択オブジェクト９の左揃え）
次に、図１１を用いて、実施形態に係る操作パネル１での選択オブジェクト９の左揃えの一例を説明する。図１１は選択オブジェクト９の左揃えの手法の一例を示す説明図である。尚、オブジェクト８は実際には、設定画面等の各種画面上に表示されるが、図１１以下の図面では便宜上、実際に表示される画面の記載は省略し、オブジェクト８のみを図示している。又、図１１以下の図面では、オブジェクト８として電子付箋８１を示すが、以下の説明は電子付箋８１以外のオブジェクト８にも同様に適用される。又、図１１以下の図では、親指と人差し指を用いて２点タッチを行う例を示しているが、２点タッチに用いる指は使用者により異なる(例えば、人差し指と中指など)
【０１１５】
まず、図１１での最上段の図（（１）と付された図）は表示部１１に表示された３つのオブジェクト８が選択されていることを示す（選択オブジェクト９ａ〜９ｃ）。整列前では、選択オブジェクト９ａは左上、選択オブジェクト９ｂはほぼ中央、選択オブジェクト９ｃは右下に表示されている状態である。
【０１１６】
そして、図１１での上から２段目の左側の図（（２）と付された図）は３つのオブジェクト８（選択オブジェクト９ａ〜９ｃ）が選択された状態で、選択オブジェクト９が表示されていない位置で横方向に２点タッチがなされたことを示している。タッチパネル部１２は２点タッチがなされたことを受け付ける。又、パネル制御部１０はタッチパネル部１２の出力に基づき、２点タッチされたことを認識する。又、パネル制御部１０はタッチされた２点の位置関係が横方向であることを認識する。
【０１１７】
そして、図１１での上から３段目の左側の図（（３）と付された図）に示すように、選択オブジェクト９を左揃えで整列させるとき、使用者は左側の指を固定しつつ、右側の指を左側の指に近づける操作(各選択オブジェクト９を左側に寄せるような操作)を行う。タッチパネル部１２は左側のタッチされた点を固定したまま、右側のタッチされた点を左側に移動させる操作を受け付ける。又、パネル制御部１０はタッチパネル部１２の出力に基づき、左揃えを指示する操作がなされたことを認識する。
【０１１８】
そして、パネル制御部１０は各選択オブジェクト９の左端が予め定められた左揃え位置に揃うように、各選択オブジェクト９の表示位置を表示部１１に整列させる。これにより、各選択オブジェクト９は左揃えに整列されて表示される。ここで、予め定められた左揃え位置は図１１での最下段の左側の図（（４）と付された図）に示すように、表示部１１の表示領域(表示部１１の表示枠内)の左端の位置としてもよい。あるいは、予め定められた左揃え位置は、図１１での最下段の右側の図（（７）と付された図）に示すように、選択オブジェクト９のうち最も左端に位置する選択オブジェクト９の左端の位置（破線で図示）としてもよい。
【０１１９】
又、基準とする選択オブジェクト９にあわせて左揃えを行うようにしてもよい。言い換えると、予め定められた左揃え位置を基準とする選択オブジェクト９の左端の位置とする。この場合、図１１での上から２段目の右側の図（（５）と付された図）に示すように、使用者はオブジェクト８が選択された状態で、基準とする選択オブジェクト９が表示された位置（尚、図１１（５）では最も左側の選択オブジェクト９ａを基準としている。）を含めて２点タッチする。又、タッチされた２点のうち、いずれか一方が基準とする選択オブジェクト９の表示位置でタッチされればよい。これにより、タッチパネル部１２は基準とする選択オブジェクト９の表示位置上で２点タッチがなされたことを受け付ける。又、パネル制御部１０はタッチパネル部１２の出力に基づき、基準とする選択オブジェクト９上で２点タッチされたことを認識する。又、パネル制御部１０はタッチされた２点の位置関係が横方向であることを認識する。
【０１２０】
そして、図１１での上から３段目の右側の図（（６）と付された図）に示すように、基準とする選択オブジェクト９にあわせて左揃えで整列させるとき、使用者は左側の指を固定しつつ、右側の指を左側の指に近づける操作(選択オブジェクト９を左側に寄せるような操作)を行う。タッチパネル部１２は左側のタッチされた点を固定したまま、右側のタッチされた点を左側に移動させる操作を受け付ける。又、パネル制御部１０はタッチパネル部１２の出力に基づき、左揃えを指示する操作がなされたことを認識する。
【０１２１】
そして、図１１での最下段の右側の図（（７）と付された図）に示すように、パネル制御部１０は各選択オブジェクト９のうち、基準とする選択オブジェクト９（選択オブジェクト９ａ）の左端の位置（予め定められた左揃え位置、破線で図示）に揃うように、各選択オブジェクト９の表示位置（左端の位置）を表示部１１に整列させる。これにより、基準とする選択オブジェクト９にあわせて、各選択オブジェクト９は左揃えに整列されて表示される。
【０１２２】
パネル制御部１０は左揃えされたそれぞれの選択オブジェクト９について、オブジェクトデータ中の画面内で表示位置を示す情報をメモリー１５に更新させる。これにより、以後、選択オブジェクト９を左揃えした画面を表示するたびに、パネル制御部１０はメモリー１５に記憶された各選択オブジェクト９のオブジェクトデータを参照し、選択オブジェクト９が左揃えされた状態で表示部１１に表示させる。
【０１２３】
（選択オブジェクト９の右揃え）
次に、図１２を用いて、実施形態に係る操作パネル１での選択オブジェクト９の右揃えの一例を説明する。図１２は選択オブジェクト９の右揃えの手法の一例を示す説明図である。
【０１２４】
まず、図１２での最上段の図（（１）と付された図）は表示部１１に表示された３つのオブジェクト８が選択されていることを示す（選択オブジェクト９ａ〜９ｃ）。整列前では、選択オブジェクト９ａは左上、選択オブジェクト９ｂはほぼ中央、選択オブジェクト９ｃは右下に表示されている状態である。
【０１２５】
そして、図１２での上から２段目の左側の図（（２）と付された図）は３つのオブジェクト８（選択オブジェクト９ａ〜９ｃ）が選択された状態で、選択オブジェクト９が表示されていない位置で横方向に２点タッチがなされたことを示している。タッチパネル部１２は２点タッチがなされたことを受け付ける。又、パネル制御部１０はタッチパネル部１２の出力に基づき、２点タッチされたことを認識する。又、パネル制御部１０はタッチされた２点の位置関係が横方向であることを認識する。
【０１２６】
そして、図１２での上から３段目の左側の図（（３）と付された図）に示すように、選択オブジェクト９を右揃えで整列させるとき、使用者は右側の指を固定しつつ、左側の指を右側の指に近づける操作(選択オブジェクト９を右側に寄せるような操作)を行う。タッチパネル部１２は右側のタッチされた点を固定したまま、左側のタッチされた点を右側に移動させる操作を受け付ける。又、パネル制御部１０はタッチパネル部１２の出力に基づき、右揃えを指示する操作がなされたことを認識する。
【０１２７】
そして、パネル制御部１０は各選択オブジェクト９の右端が予め定められた右揃え位置に揃うように、各選択オブジェクト９の表示位置を表示部１１に整列させる。これにより、各選択オブジェクト９は右揃えに整列されて表示される。ここで、予め定められた右揃え位置は、図１２での最下段の左側の図（（４）と付された図）に示すように、表示部１１の表示領域(表示部１１の表示枠内)の右端の位置としてもよい。あるいは、予め定められた右揃え位置は、図１２での最下段の右側の図（（７）と付された図）に示すように、選択オブジェクト９のうち最も右端に位置する選択オブジェクト９の右端の位置（破線で図示）としてもよい。
【０１２８】
又、基準とする選択オブジェクト９にあわせて右揃えを行うようにしてもよい。言い換えると、予め定められた右揃え位置を基準とする選択オブジェクト９の右端の位置とする。この場合、図１２での上から２段目の右側の図（（５）と付された図）に示すように、使用者はオブジェクト８が選択された状態で、基準とする選択オブジェクト９が表示された位置を含めて２点タッチする（尚、図１２の（５）では、最も右側の選択オブジェクト９ｃを基準とする例を示している。）。又、タッチされた２点のうち、いずれか一方が基準とする選択オブジェクト９の表示位置でタッチされればよい。これにより、タッチパネル部１２は基準とする選択オブジェクト９の表示位置上で２点タッチがなされたことを受け付ける。又、パネル制御部１０はタッチパネル部１２の出力に基づき、基準とする選択オブジェクト９上で２点タッチされたことを認識する。又、パネル制御部１０はタッチされた２点の位置関係が横方向であることを認識する。
【０１２９】
そして、図１２での上から３段目の右側の図（（６）と付された図）に示すように、基準とする選択オブジェクト９にあわせて右揃えで整列させるとき、使用者は右側の指を固定しつつ、左側の指を右側の指に近づける操作(選択オブジェクト９を右側に寄せるような操作)を行う。タッチパネル部１２は右側のタッチされた点を固定したまま、左側のタッチされた点を右側に移動させる操作を受け付ける。又、パネル制御部１０はタッチパネル部１２の出力に基づき、右揃えを行う旨を示す操作がなされたことを認識する。
【０１３０】
そして、図１２での最下段の右側の図（（７）と付された図）に示すように、パネル制御部１０は各選択オブジェクト９のうち、基準とする選択オブジェクト９（選択オブジェクト９ｃ）の右端の位置（予め定められた右揃え位置、破線で図示）に揃うように、各選択オブジェクト９の表示位置（右端の位置）を表示部１１に整列させる。これにより、基準とする選択オブジェクト９にあわせて、各選択オブジェクト９は右揃えに整列されて表示される。
【０１３１】
パネル制御部１０は右揃えされたそれぞれの選択オブジェクト９について、オブジェクトデータ中の画面内で表示位置を示す情報をメモリー１５に更新させる。これにより、以後、選択オブジェクト９を右揃えした画面を表示するたびに、パネル制御部１０はメモリー１５に記憶された各選択オブジェクト９のオブジェクトデータを参照し、選択オブジェクト９が右揃えされた状態で表示部１１に表示させる。
【０１３２】
（選択オブジェクト９の上揃え）
次に、図１３を用いて、実施形態に係る操作パネル１での選択オブジェクト９の上揃えの一例を説明する。図１３は選択オブジェクト９の上揃えの手法の一例を示す説明図である。
【０１３３】
まず、図１３での最上段の図（（１）と付された図）は表示部１１に表示された３つのオブジェクト８が選択されていることを示す（選択オブジェクト９ａ〜９ｃ）。整列前では、選択オブジェクト９ａは左上、選択オブジェクト９ｂはほぼ中央、選択オブジェクト９ｃは右下に表示されている状態である。
【０１３４】
そして、図１３での上から２段目の左側の図（（２）と付された図）は３つのオブジェクト８（選択オブジェクト９ａ〜９ｃ）が選択された状態で、選択オブジェクト９が表示されていない位置で縦方向に２点タッチがなされたことを示している。タッチパネル部１２は２点タッチがなされたことを受け付ける。又、パネル制御部１０はタッチパネル部１２の出力に基づき、２点タッチされたことを認識する。又、パネル制御部１０はタッチされた２点の位置関係が縦方向であることを認識する。
【０１３５】
そして、図１３での上から３段目の左側の図（（３）と付された図）に示すように、選択オブジェクト９を上揃えで整列させるとき、使用者は上側の指を固定しつつ、下側の指を上側の指に近づける操作(選択オブジェクト９を上側に寄せるような操作)を行う。タッチパネル部１２は上側のタッチされた点を固定したまま、下側のタッチされた点を上側に移動させる操作を受け付ける。又、パネル制御部１０はタッチパネル部１２の出力に基づき、上揃えを指示する操作がなされたことを認識する。
【０１３６】
そして、パネル制御部１０は各選択オブジェクト９の上端が予め定められた上揃え位置に揃うように、各選択オブジェクト９の表示位置を表示部１１に整列させる。これにより、各選択オブジェクト９は上揃えに整列されて表示される。ここで、予め定められた上揃え位置は、図１３での最下段の左側の図（（４）と付された図）に示すように、表示部１１の表示領域(表示部１１の表示枠内)の上端の位置としてもよい。あるいは、予め定められた上揃え位置は、図１３での最下段の右側の図（（７）と付された図）に示すように、選択オブジェクト９のうち最も上端に位置する選択オブジェクト９（図１３の例では、選択オブジェクト９ａ）の上端の位置（破線で図示）としてもよい。
【０１３７】
又、基準とする選択オブジェクト９にあわせて上揃えを行うようにしてもよい。言い換えると、予め定められた上揃え位置を基準とする選択オブジェクト９の上端の位置とする。この場合、図１３での上から２段目の右側の図（（５）と付された図）に示すように、使用者はオブジェクト８が選択された状態で、基準とする選択オブジェクト９が表示された位置を含めて２点タッチする（尚、図１３の（５）では、最も上側の選択オブジェクト９ａを基準とする例を示している。）。又、タッチされた２点のうち、いずれか一方が基準とする選択オブジェクト９の表示位置でタッチされればよい。これにより、タッチパネル部１２は基準とする選択オブジェクト９の表示位置上で縦方向に２点タッチがなされたことを受け付ける。又、パネル制御部１０はタッチパネル部１２の出力に基づき、基準とする選択オブジェクト９上で２点タッチされたことを認識する。又、パネル制御部１０はタッチされた２点の位置関係が縦方向であることを認識する。
【０１３８】
そして、図１３での上から３段目の右側の図（（６）と付された図）に示すように、基準とする選択オブジェクト９にあわせて上揃えで整列させるとき、使用者は上側の指を固定しつつ、下側の指を上側の指に近づける操作(選択オブジェクト９を上側に寄せるような操作)を行う。タッチパネル部１２は上側のタッチされた点を固定したまま、下側のタッチされた点を上側に移動させる操作を受け付ける。又、パネル制御部１０はタッチパネル部１２の出力に基づき、上揃えを行う旨を示す操作がなされたことを認識する。
【０１３９】
そして、図１３での最下段の右側の図（（７）と付された図）に示すように、パネル制御部１０は各選択オブジェクト９のうち、基準とする選択オブジェクト９（選択オブジェクト９ａ）の上端の位置（予め定められた上揃え位置、破線で図示）に揃うように、各選択オブジェクト９の表示位置（上端の位置）を表示部１１に整列させる。これにより、基準とする選択オブジェクト９にあわせて、各選択オブジェクト９は上揃えに整列されて表示される。
【０１４０】
パネル制御部１０は上揃えされたそれぞれの選択オブジェクト９について、オブジェクトデータ中の画面内で表示位置を示す情報をメモリー１５に更新させる。これにより、以後、選択オブジェクト９を上揃えした画面を表示するたびに、パネル制御部１０はメモリー１５に記憶された各選択オブジェクト９のオブジェクトデータを参照し、選択オブジェクト９が上揃えされた状態で表示部１１に表示させる。
【０１４１】
（選択オブジェクト９の下揃え）
次に、図１４を用いて、実施形態に係る操作パネル１での選択オブジェクト９の下揃えの一例を説明する。図１４は、選択オブジェクト９の下揃えの手法の一例を示す説明図である。
【０１４２】
まず、図１４での最上段の図（（１）と付された図）は表示部１１に表示された３つのオブジェクト８が選択されていることを示す（選択オブジェクト９ａ〜９ｃ）。整列前では、選択オブジェクト９ａは左上、選択オブジェクト９ｂはほぼ中央、選択オブジェクト９ｃは右下に表示されている状態である。
【０１４３】
そして、図１４での上から２段目の左側の図（（２）と付された図）は３つのオブジェクト８（選択オブジェクト９ａ〜９ｃ）が選択された状態で、選択オブジェクト９が表示されていない位置で２点タッチがなされたことを示している。タッチパネル部１２は２点タッチがなされたことを受け付ける。又、パネル制御部１０はタッチパネル部１２の出力に基づき、２点タッチされたことを認識する。又、パネル制御部１０はタッチされた２点の位置関係が縦方向であることを認識する。
【０１４４】
そして、図１４での上から３段目の左側の図（（３）と付された図）に示すように、選択オブジェクト９を下揃えで整列させるとき、使用者は下側の指を固定しつつ、上側の指を下側の指に近づける操作(選択オブジェクト９を下側に寄せるような操作)を行う。タッチパネル部１２は下側のタッチされた点を固定したまま、上側のタッチされた点を下側に移動させる操作を受け付ける。又、パネル制御部１０はタッチパネル部１２の出力に基づき、下揃えを指示する操作がなされたことを認識する。
【０１４５】
そして、パネル制御部１０は各選択オブジェクト９の下端が予め定められた下揃え位置に揃うように、各選択オブジェクト９の表示位置を表示部１１に整列させる。これにより、各選択オブジェクト９は下揃えに整列されて表示される。ここで、予め定められた下揃え位置は、図１４での最下段の左側の図（（４）と付された図）に示すように、表示部１１の表示領域(表示部１１の表示枠内)の下端の位置としてもよい。あるいは、予め定められた下揃え位置は、図１４での最下段の右側の図（（７）と付された図）に示すように、選択オブジェクト９のうち最も下端に位置する選択オブジェクト９（図１４の例では、選択オブジェクト９ｃ）の下端の位置（破線で図示）としてもよい。
【０１４６】
又、基準とする選択オブジェクト９にあわせて下揃えを行うようにしてもよい。言い換えると、予め定められた下揃え位置を基準とする選択オブジェクト９の下端の位置とする。この場合、図１４での上から２段目の右側の図（（５）と付された図）に示すように、使用者はオブジェクト８が選択された状態で、基準とする選択オブジェクト９が表示された位置を含めて２点タッチする（尚、図１４の（５）では、最も下側の選択オブジェクト９ｃを基準とする例を示している。）。又、タッチされた２点のうち、いずれか一方が基準とする選択オブジェクト９の表示位置でタッチされればよい。これにより、タッチパネル部１２は基準とする選択オブジェクト９の表示位置上で２点タッチがなされたことを受け付ける。又、パネル制御部１０はタッチパネル部１２の出力に基づき、基準とする選択オブジェクト９上で２点タッチされたことを認識する。又、パネル制御部１０はタッチされた２点の位置関係が縦方向であることを認識する。
【０１４７】
そして、図１４での上から３段目の右側の図（（６）と付された図）に示すように、基準とする選択オブジェクト９にあわせて下揃えで整列させるとき、使用者は下側の指を固定しつつ、上側の指を下側の指に近づける操作(選択オブジェクト９を下側に寄せるような操作)を行う。タッチパネル部１２は下側のタッチされた点を固定したまま、上側のタッチされた点を下側に移動させる操作を受け付ける。又、パネル制御部１０はタッチパネル部１２の出力に基づき、下揃えを行う旨を示す操作がなされたことを認識する。
【０１４８】
そして、図１４での最下段の右側の図（（７）と付された図）に示すように、パネル制御部１０は各選択オブジェクト９のうち、基準とする選択オブジェクト９（選択オブジェクト９ｃ）の下端の位置（予め定められた下揃え位置、破線で図示）に揃うように、各選択オブジェクト９の表示位置（下端の位置）を表示部１１に整列させる。これにより、基準とする選択オブジェクト９にあわせて、各選択オブジェクト９は下揃えに整列されて表示される。
【０１４９】
パネル制御部１０は下揃えされたそれぞれの選択オブジェクト９について、オブジェクトデータ中の画面内で表示位置を示す情報をメモリー１５に更新させる。これにより、以後、選択オブジェクト９を下揃えした画面を表示するたびに、パネル制御部１０はメモリー１５に記憶された各選択オブジェクト９のオブジェクトデータを参照し、選択オブジェクト９が下揃えされた状態で表示部１１に表示させる。
【０１５０】
（選択オブジェクト９の左右中央揃え）
次に、図１５を用いて、実施形態に係る操作パネル１での選択オブジェクト９の左右中央揃えの一例を説明する。図１５は、選択オブジェクト９の左右中央揃えの手法の一例を示す説明図である。
【０１５１】
まず、図１５での最上段の図（（１）と付された図）は表示部１１に表示された３つのオブジェクト８が選択されていることを示す（選択オブジェクト９ａ〜９ｃ）。整列前では、選択オブジェクト９ａは左上、選択オブジェクト９ｂはほぼ中央、選択オブジェクト９ｃは右下に表示されている状態である。
【０１５２】
そして、図１５での上から２段目の図（（２）と付された図）は３つのオブジェクト８（選択オブジェクト９ａ〜９ｃ）が選択された状態で、選択オブジェクト９が表示されていない位置で横方向に２点タッチがなされたことを示している。タッチパネル部１２は２点タッチがなされたことを受け付ける。又、パネル制御部１０はタッチパネル部１２の出力に基づき、２点タッチされたことを認識する。又、パネル制御部１０はタッチされた２点の位置関係が横方向であることを認識する。
【０１５３】
そして、図１５での上から３段目の図（（３）と付された図）に示すように、選択オブジェクト９を左右中央揃えで整列させるとき、使用者は左右方向で指の間隔を狭める操作(選択オブジェクト９を左右ともに寄せるような操作)を行う。タッチパネル部１２はタッチされた２点の間隔が左右方向で狭める操作を受け付ける。又、パネル制御部１０はタッチパネル部１２の出力に基づき、左右中央揃えを指示する操作がなされたことを認識する。
【０１５４】
そして、パネル制御部１０は表示部１１の表示領域（表示枠内）の左右方向での中央（中央のライン）と各選択オブジェクト９の左右方向での中央とが揃うように、各選択オブジェクト９の表示位置を左右中央揃えで表示部１１に整列させる。これにより、各選択オブジェクト９は左右中央揃えに整列されて表示される。
【０１５５】
パネル制御部１０は左右中央揃えされたそれぞれの選択オブジェクト９について、オブジェクトデータ中の画面内で表示位置を示す情報をメモリー１５に更新させる。これにより、以後、選択オブジェクト９を左右中央揃えした画面を表示するたびに、パネル制御部１０はメモリー１５に記憶された各選択オブジェクト９のオブジェクトデータを参照し、選択オブジェクト９が左右中央揃えされた状態で表示部１１に表示させる。
【０１５６】
（選択オブジェクト９の上下中央揃え）
次に、図１６を用いて、実施形態に係る操作パネル１での選択オブジェクト９の上下中央揃えの一例を説明する。図１６は、選択オブジェクト９の上下中央揃えの手法の一例を示す説明図である。
【０１５７】
まず、図１６での最上段の図（（１）と付された図）は表示部１１に表示された３つのオブジェクト８が選択されていることを示す（選択オブジェクト９ａ〜９ｃ）。整列前では、選択オブジェクト９ａは左上、選択オブジェクト９ｂはほぼ中央、選択オブジェクト９ｃは右下に表示されている状態である。
【０１５８】
そして、図１６での上から２段目の図（（２）と付された図）は３つのオブジェクト８（選択オブジェクト９ａ〜９ｃ）が選択された状態で、選択オブジェクト９が表示されていない位置で縦方向に２点タッチがなされたことを示している。タッチパネル部１２は２点タッチがなされたことを受け付ける。又、パネル制御部１０はタッチパネル部１２の出力に基づき、２点タッチされたことを認識する。又、パネル制御部１０はタッチされた２点の位置関係が縦方向であることを認識する。
【０１５９】
そして、図１６での上から３段目の図（（３）と付された図）に示すように、選択オブジェクト９を上下中央揃えで整列させるとき、使用者は上下方向で指の間隔を狭める操作(選択オブジェクト９を上下ともに寄せるような操作)を行う。タッチパネル部１２はタッチされた２点の間隔を上下方向で狭める操作を受け付ける。又、パネル制御部１０はタッチパネル部１２の出力に基づき、上下中央揃えを指示する操作がなされたことを認識する。
【０１６０】
そして、パネル制御部１０は表示部１１の表示領域（表示枠内）の上下方向での中央（中央のライン）と各選択オブジェクト９の上下方向での中央とが揃うように、各選択オブジェクト９の表示位置を上下中央揃えで表示部１１に整列させる。これにより、各選択オブジェクト９は上下中央揃えに整列されて表示される。
【０１６１】
パネル制御部１０は上下中央揃えされたそれぞれの選択オブジェクト９について、オブジェクトデータ中の画面内で表示位置を示す情報をメモリー１５に更新させる。これにより、以後、選択オブジェクト９を上下中央揃えした画面を表示するたびに、パネル制御部１０はメモリー１５に記憶された各選択オブジェクト９のオブジェクトデータを参照し、選択オブジェクト９が上下中央揃えされた状態で表示部１１に表示させる。
【０１６２】
（選択オブジェクト９の左右均等配列）
次に、図１７を用いて、実施形態に係る操作パネル１での選択オブジェクト９の左右均等配列の一例を説明する。図１７は、選択オブジェクト９の左右均等配列の手法の一例を示す説明図である。
【０１６３】
まず、図１７での最上段の図（（１）と付された図）は表示部１１に表示された３つのオブジェクト８が選択されていることを示す（選択オブジェクト９ａ〜９ｃ）。整列前では、左から選択オブジェクト９ａ、選択オブジェクト９ｂ、選択オブジェクト９ｃの順に間隔が不均一な状態で並んで表示されている状態である。
【０１６４】
そして、図１７での上から２段目の左側の図（（２）と付された図）は３つのオブジェクト８（選択オブジェクト９ａ〜９ｃ）が選択された状態で、横方向に２点タッチがなされたことを示している。タッチパネル部１２は２点タッチがなされたことを受け付ける。又、パネル制御部１０はタッチパネル部１２の出力に基づき、２点タッチされたことを認識する。又、パネル制御部１０はタッチされた２点の位置関係が横方向であることを認識する。
【０１６５】
そして、図１７での上から３段目の左側の図（（３）と付された図）に示すように、選択オブジェクト９を左右方向の間隔が均等となるように整列させるとき（左右均等配列するとき）、使用者は左右方向で指の間隔を広げる操作(選択オブジェクト９を左右方向で引き離すような操作)を行う。タッチパネル部１２はタッチされた２点の間隔が左右方向で広げる操作を受け付ける。又、パネル制御部１０はタッチパネル部１２の出力に基づき、左右均等配列を指示する操作がなされたことを認識する。
【０１６６】
そして、パネル制御部１０は各選択オブジェクト９の間隔が等しくなるように、各選択オブジェクト９の表示位置を表示部１１に整列させる。これにより、各選択オブジェクト９は左右方向の間隔が均等となるように整列された状態で表示される。ここで、左右均等配列を行うとき、図１７での最下段の左側の図（（４）と付された図）に示すように、左右方向で最も端に位置する選択オブジェクト９（図１７の例では、選択オブジェクト９ａと選択オブジェクト９ｃ）を表示部１１の表示領域の端に寄せ、各選択オブジェクト９の間隔が等しくなるように整列するようにしてもよい。
【０１６７】
この場合、パネル制御部１０は選択オブジェクト９のうち、最も左側の選択オブジェクト９（選択オブジェクト９ａ）の左端の位置と表示部１１の表示領域の左端とが一致するように、表示部１１に最も左側の選択オブジェクト９ａの表示位置を変えさせる（左方向に移動させる）。又、パネル制御部１０は選択オブジェクト９のうち、最も右側の選択オブジェクト９（選択オブジェクト９ｃ）の右端の位置と表示部１１の表示領域の右端とが一致するように、表示部１１に最も右側の選択オブジェクト９ｃの表示位置を変えさせる（右方向に移動させる）。そして、パネル制御部１０は右端と左端の選択オブジェクト９に挟まれる選択オブジェクト９（図１７の例では選択オブジェクト９ｂ）と、右端と左端の選択オブジェクト９のそれぞれの間隔（図１７の（４）では間隔をＬ１として例示）がほぼ等しくなる位置に、右端と左端の選択オブジェクト９に挟まれる選択オブジェクト９（選択オブジェクト９ｂ）を表示部１１に表示させる。
【０１６８】
あるいは、左右均等配列を行うとき、図１７での最下段の右側の図（（５）と付された図）に示すように、最も端に位置する選択オブジェクト９（図１７の例では、選択オブジェクト９ａと選択オブジェクト９ｃ）を移動させないまま、各選択オブジェクト９の間隔が等しくなるように整列するようにしてもよい。
【０１６９】
この場合、パネル制御部１０は選択オブジェクト９のうち、最も左側の選択オブジェクト９（選択オブジェクト９ａ）と最も右側の選択オブジェクト９（選択オブジェクト９ｃ）の表示位置を変えない。そして、パネル制御部１０は右端と左端の選択オブジェクト９に挟まれる選択オブジェクト９（図１７の例では選択オブジェクト９ｂ）と、右端と左端の選択オブジェクト９のそれぞれの間隔（図１７の（５）では間隔をＬ２として例示）がほぼ等しくなる位置に、右端と左端の選択オブジェクト９に挟まれる選択オブジェクト９（選択オブジェクト９ｂ）を表示部１１に表示させる。
【０１７０】
例えば、選択オブジェクト９が表示されていない位置で２点タッチされたことをタッチパネル部１２が受け付けたとき、パネル制御部１０は最も端に位置する選択オブジェクト９を表示部１１の表示領域の端に寄せて、表示部１１に各選択オブジェクト９の左右均等配列を行わせる。又、選択オブジェクト９が表示されている位置で２点タッチされたことをタッチパネル部１２が受け付けたとき、最も端に位置する選択オブジェクト９を移動させないまま表示部１１に各選択オブジェクト９の左右均等配列を行わせる。
【０１７１】
パネル制御部１０は左右均等配列されたそれぞれの選択オブジェクト９について、オブジェクトデータ中の画面内で表示位置を示す情報をメモリー１５に更新させる。これにより、以後、選択オブジェクト９を左右均等配列した画面を表示するたびに、パネル制御部１０はメモリー１５に記憶された各選択オブジェクト９のオブジェクトデータを参照し、選択オブジェクト９が左右均等配列された状態で表示部１１に表示させる。
【０１７２】
（選択オブジェクト９の上下均等配列）
次に、図１８を用いて、実施形態に係る操作パネル１での選択オブジェクト９の上下均等配列の一例を説明する。図１８は、選択オブジェクト９の上下均等配列の手法の一例を示す説明図である。
【０１７３】
まず、図１８での最上段の図（（１）と付された図）は表示部１１に表示された３つのオブジェクト８が選択されていることを示す（選択オブジェクト９ａ〜９ｃ）。整列前では、いずれも表示部１１の左寄りの位置に、上から選択オブジェクト９ａ、選択オブジェクト９ｂ、選択オブジェクト９ｃの順に、間隔が不均一な状態で並んで表示されている状態である。
【０１７４】
そして、図１８での上から２段目の左側の図（（２）と付された図）は３つのオブジェクト８（選択オブジェクト９ａ〜９ｃ）が選択された状態で、縦方向に２点タッチがなされたことを示している。タッチパネル部１２は２点タッチがなされたことを受け付ける。又、パネル制御部１０はタッチパネル部１２の出力に基づき、２点タッチされたことを認識する。又、パネル制御部１０はタッチされた２点の位置関係が縦方向であることを認識する。
【０１７５】
そして、図１８での上から３段目の左側の図（（３）と付された図）に示すように、選択オブジェクト９を上下方向の間隔が均等となるように整列させるとき（上下均等配列するとき）、使用者は上下方向で指の間隔を広げる操作(選択オブジェクト９を上下方向で引き離すような操作)を行う。タッチパネル部１２はタッチされた２点の間隔が上下方向で広げる操作を受け付ける。又、パネル制御部１０はタッチパネル部１２の出力に基づき、上下均等配列を指示する操作がなされたことを認識する。
【０１７６】
そして、パネル制御部１０は各選択オブジェクト９の間隔が等しくなるように、各選択オブジェクト９の表示位置を表示部１１に整列させる。これにより、各選択オブジェクト９は上下方向の間隔が均等となるように整列された状態で表示される。ここで、上下均等配列を行うとき、図１８での最下段の左側の図（（４）と付された図）に示すように、上下方向で最も端に位置する選択オブジェクト９（図１８の例では、選択オブジェクト９ａと選択オブジェクト９ｃ）を表示部１１の表示領域の端に寄せ、各選択オブジェクト９の間隔が等しくなるように整列するようにしてもよい。
【０１７７】
この場合、パネル制御部１０は選択オブジェクト９のうち、最も上側の選択オブジェクト９（選択オブジェクト９ａ）の上端の位置と表示部１１の表示領域の上端とが一致するように、表示部１１に最も上側の選択オブジェクト９ａの表示位置を変えさせる（上方向に移動させる）。又、パネル制御部１０は選択オブジェクト９のうち、最も下側の選択オブジェクト９（選択オブジェクト９ｃ）の下端の位置と表示部１１の表示領域の下端とが一致するように、表示部１１に最も下側の選択オブジェクト９ｃの表示位置を変えさせる（下方向に移動させる）。そして、パネル制御部１０は下端と上端の選択オブジェクト９に挟まれる選択オブジェクト９（図１８の例では選択オブジェクト９ｂ）と、下端と上端の選択オブジェクト９のそれぞれの間隔（図１８の（４）では間隔をＬ３として例示）がほぼ等しくなる位置に、下端と上端の選択オブジェクト９に挟まれる選択オブジェクト９（選択オブジェクト９ｂ）を表示部１１に表示させる。
【０１７８】
あるいは、上下均等配列を行うとき、図１８での最下段の下側の図（（５）と付された図）に示すように、最も端に位置する選択オブジェクト９（図１８の例では、選択オブジェクト９ａと選択オブジェクト９ｃ）を移動させないまま、各選択オブジェクト９の間隔が等しくなるように整列するようにしてもよい。
【０１７９】
この場合、パネル制御部１０は選択オブジェクト９のうち、最も上側の選択オブジェクト９（選択オブジェクト９ａ）と最も下側の選択オブジェクト９（選択オブジェクト９ｃ）の表示位置を変えない。そして、パネル制御部１０は下端と上端の選択オブジェクト９に挟まれる選択オブジェクト９（図１８の例では選択オブジェクト９ｂ）と、下端と上端の選択オブジェクト９のそれぞれの間隔（図１８の（５）では間隔をＬ４で例示）がほぼ等しくなる位置に、下端と上端の選択オブジェクト９に挟まれる選択オブジェクト９（選択オブジェクト９ｂ）を表示部１１に表示させる。
【０１８０】
例えば、選択オブジェクト９が表示されていない位置で２点タッチされたことをタッチパネル部１２が受け付けたとき、パネル制御部１０は最も端に位置する選択オブジェクト９を表示部１１の表示領域の端に寄せて、表示部１１に各選択オブジェクト９の上下均等配列を行わせる。又、選択オブジェクト９が表示されている位置で２点タッチされたことをタッチパネル部１２が受け付けたとき、最も端に位置する選択オブジェクト９を移動させないまま表示部１１に各選択オブジェクト９の上下均等配列を行わせる。
【０１８１】
パネル制御部１０は上下均等配列されたそれぞれの選択オブジェクト９について、オブジェクトデータ中の画面内で表示位置を示す情報をメモリー１５に更新させる。これにより、以後、選択オブジェクト９を上下均等配列した画面を表示するたびに、パネル制御部１０はメモリー１５に記憶された各選択オブジェクト９のオブジェクトデータを参照し、選択オブジェクト９が上下均等配列された状態で表示部１１に表示させる。
【０１８２】
（選択オブジェクト９の重なり解消・左移動）
次に、図１９を用いて、実施形態に係る操作パネル１での選択オブジェクト９の重なりを解消するための左方向への移動の一例を説明する。図１９は、選択オブジェクト９の重なりを解消するための左方向への移動の手法の一例を示す説明図である。
【０１８３】
まず、図１９での最上段の図（（１）と付された図）は表示部１１に表示された３つのオブジェクト８が選択されていることを示す（選択オブジェクト９ａ〜９ｃ）。そして、整列前では、各選択オブジェクト９は重なった状態で上寄りの位置に表示されている状態の一例を図１９に示している。具体的に、図１９では、選択オブジェクト９ａの上側に選択オブジェクト９ｂが重なり、選択オブジェクト９ｂの上側に選択オブジェクト９ｃが重なっている状態である。例えば、上揃えを行ったとき、図１９の（１）に示すような選択オブジェクト９が重なった状態となることがある。
【０１８４】
ここで、パネル制御部１０はメモリー１５に記憶された各オブジェクト８に関する情報を含むオブジェクトデータに基づき、選択されたオブジェクト８が占める範囲（表示範囲）を認識する。そして、パネル制御部１０はオブジェクト８を表示する位置やオブジェクト８が占める範囲に基づき、オブジェクト８同士の重なりを認識する。尚、オブジェクトデータには、重なった場合の各オブジェクト８の表示の優先順位を示す情報が含まれる。パネル制御部１０はメモリー１５の記憶内容を参照し、優先度の高いオブジェクト８の方が上層に位置するように（隠れないように）各オブジェクト８の表示を行う。
【０１８５】
選択オブジェクト９が重なると、下層側の選択オブジェクト９は上層側の選択オブジェクト９に隠され、見えなくなる。例えば、電子付箋８１は注意書きなどの情報を含むが、一部が隠れてしまうと、使用者は電子付箋８１に含まれる情報を的確に認識できなくなる。そこで、選択オブジェクト９が重なっているとき、直感的な操作により、重なり解消を容易に行えるようにする。尚、重なりを解消するとき、全ての選択オブジェクト９が重なっている場合だけで無く、選択オブジェクト９のうち、一部のみが重なった状態でも、以下の操作を行うことにより選択オブジェクト９の重なりを解消できる。
【０１８６】
そして、図１９での上から２段目の図（（２）と付された図）は重なった状態の３つのオブジェクト８（選択オブジェクト９ａ〜９ｃ）が選択された状態で横方向に２点タッチがなされたことを示している。タッチパネル部１２は２点タッチがなされたことを受け付ける。又、パネル制御部１０はタッチパネル部１２の出力に基づき、重なったオブジェクト８が選択されている状態で２点タッチされたことを認識する。又、パネル制御部１０はタッチされた２点の位置関係が横方向であることを認識する。
【０１８７】
そして、図１９での上から３段目の図（（３）と付された図）に示すように、選択オブジェクト９を左方向に移動させて、選択オブジェクト９の重なりを解消するための整列を行うとき、使用者は右側の指を固定しつつ、左側の指を右側の指から遠ざける操作(各選択オブジェクト９を左側に寄せるような操作)を行う。タッチパネル部１２は右側のタッチされた点を固定したまま、左側のタッチされた点を左側に移動させる（遠ざける）操作を受け付ける。又、パネル制御部１０はタッチパネル部１２の出力に基づき、選択オブジェクト９を左方向に移動させて重なり解消を指示する操作がなされたことを認識する。
【０１８８】
そして、図１９での最下段の図（（４）と付された図）に示すように、パネル制御部１０は各選択オブジェクト９のうち、最も右端の選択オブジェクト９（図１９の例では、選択オブジェクト９ｃ）を動かさないようにしつつ、他の選択オブジェクト９（図１９の例では選択オブジェクト９ａと選択オブジェクト９ｂ）の表示位置を表示部１１に変えさせる（移動させる）。このとき、パネル制御部１０はいずれの選択オブジェクト９も重ならないように（重なりが無くなるように）、他の選択オブジェクト９（選択オブジェクト９ａ、選択オブジェクト９ｂ）の表示位置を表示部１１に変えさせる
【０１８９】
尚、図１９では、パネル制御部１０が各選択オブジェクト９の間に隙間がないように選択オブジェクト９を左方向に移動させて、表示部１１に選択オブジェクト９の表示位置を変えさせる例を示している。しかし、パネル制御部１０は一定の隙間を空けるようにして表示部１１に選択オブジェクト９の表示位置を左方向に移動させ、選択オブジェクト９の重なりを解消してもよい。
【０１９０】
パネル制御部１０は重なりが解消されたそれぞれの選択オブジェクト９について、オブジェクトデータ中の画面内で表示位置を示す情報をメモリー１５に更新させる。これにより、以後、選択オブジェクト９の重なりを解消した画面を表示するたびに、パネル制御部１０はメモリー１５に記憶された各選択オブジェクト９のオブジェクトデータを参照し、選択オブジェクト９が重なりが解消された状態で表示部１１に表示させる。
【０１９１】
（選択オブジェクト９の重なり解消・右移動）
次に、図２０を用いて、実施形態に係る操作パネル１での選択オブジェクト９の重なりを解消するための右方向への移動の一例を説明する。図２０は、選択オブジェクト９の重なりを解消するための右方向への移動の手法の一例を示す説明図である。
【０１９２】
まず、図２０での最上段の図（（１）と付された図）は表示部１１に表示された３つのオブジェクト８が選択されていることを示す（選択オブジェクト９ａ〜９ｃ）。そして、整列前では、各選択オブジェクト９は重なった状態で上寄りの位置に表示されている状態の一例を図２０に示している。具体的に、図２０では、選択オブジェクト９ａの上側に選択オブジェクト９ｂが重なり、選択オブジェクト９ｂの上側に選択オブジェクト９ｃが重なっている状態である。例えば、上揃えを行ったとき、図２０の（１）に示すような選択オブジェクト９が重なった状態となることがある。
【０１９３】
そして、図２０での上から２段目の図（（２）と付された図）は重なった状態の３つのオブジェクト８（選択オブジェクト９ａ〜９ｃ）が選択された状態で横方向に２点タッチがなされたことを示している。タッチパネル部１２は２点タッチがなされたことを受け付ける。又、パネル制御部１０はタッチパネル部１２の出力に基づき、重なったオブジェクト８が選択されている状態で２点タッチされたことを認識する。又、パネル制御部１０はタッチされた２点の位置関係が横方向であることを認識する。
【０１９４】
そして、図２０での上から３段目の図（（３）と付された図）に示すように、選択オブジェクト９を右方向に移動させて、選択オブジェクト９の重なりを解消するための整列を行うとき、使用者は左側の指を固定しつつ、右側の指を左側の指から遠ざける操作(各選択オブジェクト９を右側に寄せるような操作)を行う。タッチパネル部１２は左側のタッチされた点を固定したまま、右側のタッチされた点を右側に移動させる（遠ざける）操作を受け付ける。又、パネル制御部１０はタッチパネル部１２の出力に基づき、選択オブジェクト９を右方向に移動させて重なり解消を指示する操作がなされたことを認識する。
【０１９５】
そして、図２０での最下段の図（（４）と付された図）に示すように、パネル制御部１０は各選択オブジェクト９のうち、最も左端の選択オブジェクト９（図２０の例では、選択オブジェクト９ａ）を動かさないようにしつつ、他の選択オブジェクト９（図２０の例では選択オブジェクト９ｂと選択オブジェクト９ｃ）の表示位置を表示部１１に変えさせる（移動させる）。このとき、パネル制御部１０はいずれの選択オブジェクト９も重ならないように（重なりが無くなるように）、他の選択オブジェクト９（選択オブジェクト９ｂ、選択オブジェクト９ｃ）の表示位置を表示部１１に変えさせる
【０１９６】
尚、図２０では、パネル制御部１０が各選択オブジェクト９の間に隙間がないように選択オブジェクト９を右方向に移動させて、表示部１１に選択オブジェクト９の表示位置を変えさせる例を示している。しかし、パネル制御部１０は一定の隙間を空けるようにして表示部１１に選択オブジェクト９の表示位置を右方向に移動させ、選択オブジェクト９の重なりを解消してもよい。
【０１９７】
パネル制御部１０は重なりが解消されたそれぞれの選択オブジェクト９について、オブジェクトデータ中の画面内で表示位置を示す情報をメモリー１５に更新させる。これにより、以後、選択オブジェクト９の重なりを解消した画面を表示するたびに、パネル制御部１０はメモリー１５に記憶された各選択オブジェクト９のオブジェクトデータを参照し、選択オブジェクト９が重なりが解消された状態で表示部１１に表示させる。
【０１９８】
（選択オブジェクト９の重なり解消・上移動）
次に、図２１を用いて、実施形態に係る操作パネル１での選択オブジェクト９の重なりを解消するための上方向への移動の一例を説明する。図２１は、選択オブジェクト９の重なりを解消するための上方向への移動の手法の一例を示す説明図である。
【０１９９】
まず、図２１での最上段の図（（１）と付された図）は表示部１１に表示された３つのオブジェクト８が選択されていることを示す（選択オブジェクト９ａ〜９ｃ）。そして、整列前では、各選択オブジェクト９は重なった状態で左下寄りの位置に表示されている状態の一例を図２１に示している。具体的に、図２１では、選択オブジェクト９ａの上側に選択オブジェクト９ｂが重なり、選択オブジェクト９ｂの上側に選択オブジェクト９ｃが重なっている状態である。例えば、左揃えを行ったとき、図２１の（１）に示すような選択オブジェクト９が重なった状態となることがある。
【０２００】
そして、図２１での上から２段目の図（（２）と付された図）は重なった状態の３つのオブジェクト８（選択オブジェクト９ａ〜９ｃ）が選択された状態で縦方向に２点タッチがなされたことを示している。タッチパネル部１２は２点タッチがなされたことを受け付ける。又、パネル制御部１０はタッチパネル部１２の出力に基づき、重なったオブジェクト８が選択されている状態で２点タッチされたことを認識する。又、パネル制御部１０はタッチされた２点の位置関係が縦方向であることを認識する。
【０２０１】
そして、図２１での上から３段目の図（（３）と付された図）に示すように、選択オブジェクト９を上方向に移動させて、選択オブジェクト９の重なりを解消するための整列を行うとき、使用者は下側の指を固定しつつ、上側の指を下側の指から遠ざける操作(各選択オブジェクト９を上側に寄せるような操作)を行う。タッチパネル部１２は下側のタッチされた点を固定したまま、上側のタッチされた点を上側に移動させる（遠ざける）操作を受け付ける。又、パネル制御部１０はタッチパネル部１２の出力に基づき、選択オブジェクト９を上方向に移動させて重なり解消を指示する操作がなされたことを認識する。
【０２０２】
そして、図２１での最下段の図（（４）と付された図）に示すように、パネル制御部１０は各選択オブジェクト９のうち、最も下端の選択オブジェクト９（図２１の例では、選択オブジェクト９ｃ）を動かさないようにしつつ、他の選択オブジェクト９（図２１の例では選択オブジェクト９ａと選択オブジェクト９ｂ）の表示位置を表示部１１に変えさせる（移動させる）。このとき、パネル制御部１０はいずれの選択オブジェクト９も重ならないように（重なりが無くなるように）、他の選択オブジェクト９（選択オブジェクト９ａ、選択オブジェクト９ｂ）の表示位置を表示部１１に変えさせる
【０２０３】
尚、図２１では、パネル制御部１０が各選択オブジェクト９の間に隙間がないように選択オブジェクト９を上方向に移動させて、表示部１１に選択オブジェクト９の表示位置を変えさせる例を示している。しかし、パネル制御部１０は一定の隙間を空けるようにして表示部１１に選択オブジェクト９の表示位置を上方向に移動させ、選択オブジェクト９の重なりを解消してもよい。
【０２０４】
パネル制御部１０は重なりが解消されたそれぞれの選択オブジェクト９について、オブジェクトデータ中の画面内で表示位置を示す情報をメモリー１５に更新させる。これにより、以後、選択オブジェクト９の重なりを解消した画面を表示するたびに、パネル制御部１０はメモリー１５に記憶された各選択オブジェクト９のオブジェクトデータを参照し、選択オブジェクト９が重なりが解消された状態で表示部１１に表示させる。
【０２０５】
（選択オブジェクト９の重なり解消・下移動）
次に、図２２を用いて、実施形態に係る操作パネル１での選択オブジェクト９の重なりを解消するための下方向への移動の一例を説明する。図２２は、選択オブジェクト９の重なりを解消するための下方向への移動の手法の一例を示す説明図である。
【０２０６】
まず、図２２での最上段の図（（１）と付された図）は表示部１１に表示された３つのオブジェクト８が選択されていることを示す（選択オブジェクト９ａ〜９ｃ）。そして、整列前では、各選択オブジェクト９は重なった状態で左上寄りの位置に表示されている状態の一例を図２２に示している。具体的に、図２２では、選択オブジェクト９ａの上側に選択オブジェクト９ｂが重なり、選択オブジェクト９ｂの上側に選択オブジェクト９ｃが重なっている状態である。例えば、左揃えを行ったとき、図２２の（１）に示すような選択オブジェクト９が重なった状態となることがある。
【０２０７】
そして、図２２での上から２段目の図（（２）と付された図）は重なった状態の３つのオブジェクト８（選択オブジェクト９ａ〜９ｃ）が選択された状態で縦方向に２点タッチがなされたことを示している。タッチパネル部１２は２点タッチがなされたことを受け付ける。又、パネル制御部１０はタッチパネル部１２の出力に基づき、重なったオブジェクト８が選択されている状態で２点タッチされたことを認識する。又、パネル制御部１０はタッチされた２点の位置関係が縦方向であることを認識する。
【０２０８】
そして、図２２での上から３段目の図（（３）と付された図）に示すように、選択オブジェクト９を下方向に移動させて、選択オブジェクト９の重なりを解消するための整列を行うとき、使用者は上側の指を固定しつつ、下側の指を上側の指から遠ざける操作(各選択オブジェクト９を下側に寄せるような操作)を行う。タッチパネル部１２は上側のタッチされた点を固定したまま、下側のタッチされた点を下側に移動させる（遠ざける）操作を受け付ける。又、パネル制御部１０はタッチパネル部１２の出力に基づき、選択オブジェクト９を下方向に移動させて重なり解消を指示する操作がなされたことを認識する。
【０２０９】
そして、図２２での最下段の図（（４）と付された図）に示すように、パネル制御部１０は各選択オブジェクト９のうち、最も上端の選択オブジェクト９（図２２の例では、選択オブジェクト９ａ）を動かさないようにしつつ、他の選択オブジェクト９（図２２の例では選択オブジェクト９ｂと選択オブジェクト９ｃ）の表示位置を表示部１１に変えさせる（移動させる）。このとき、パネル制御部１０はいずれの選択オブジェクト９も重ならないように（重なりが無くなるように）、他の選択オブジェクト９（選択オブジェクト９ｂ、選択オブジェクト９ｃ）の表示位置を表示部１１に変えさせる
【０２１０】
尚、図２２では、パネル制御部１０が各選択オブジェクト９の間に隙間がないように選択オブジェクト９を下方向に移動させて、表示部１１に選択オブジェクト９の表示位置を変えさせる例を示している。しかし、パネル制御部１０は一定の隙間を空けるようにして表示部１１に選択オブジェクト９の表示位置を下方向に移動させ、選択オブジェクト９の重なりを解消してもよい。
【０２１１】
パネル制御部１０は重なりが解消されたそれぞれの選択オブジェクト９について、オブジェクトデータ中の画面内で表示位置を示す情報をメモリー１５に更新させる。これにより、以後、選択オブジェクト９の重なりを解消した画面を表示するたびに、パネル制御部１０はメモリー１５に記憶された各選択オブジェクト９のオブジェクトデータを参照し、選択オブジェクト９が重なりが解消された状態で表示部１１に表示させる。
【０２１２】
（選択オブジェクト９の整列方向の変更・左右→上下）
次に、図２３を用いて、実施形態に係る操作パネル１での選択オブジェクト９の整列方向の変更の一例を説明する。図２３は、左右方向から上下方向に選択オブジェクト９の整列方向を変える整列方向の変更の手法の一例を示す説明図である。
【０２１３】
まず、図２３での最上段の図（（１）と付された図）は表示部１１に表示された３つのオブジェクト８が選択されていることを示す（選択オブジェクト９ａ〜９ｃ）。整列方向の変更前では、左から選択オブジェクト９ａ、選択オブジェクト９ｂ、選択オブジェクト９ｃの順番であり、選択オブジェクト９ａ〜９ｃは下揃えで表示されている状態である。例えば、下揃えを行ったとき、図２３の（１）に示すような選択オブジェクト９が整列された状態となる。
【０２１４】
そして、図２３での上から２段目の図（（２）と付された図）は整列された３つのオブジェクト８（選択オブジェクト９ａ〜９ｃ）が選択された状態で、２点タッチがなされたことを示している。タッチパネル部１２は２点タッチがなされたことを受け付ける。又、パネル制御部１０はタッチパネル部１２の出力に基づき、２点タッチされたことを認識する。又、パネル制御部１０はタッチされた２点の位置関係が横方向であることを認識する。
【０２１５】
そして、図２３での上から３段目の図（（３）と付された図）に示すように、選択オブジェクト９を整列方向の変更を行うとき、使用者はタッチした２点を回転させる操作を行う。タッチパネル部１２はタッチされた２点を回転させる操作を受け付ける。又、パネル制御部１０はタッチパネル部１２の出力に基づき、整列方向の変更を指示する操作がなされたことを認識する。
【０２１６】
パネル制御部１０は回転操作によるタッチされた２点の回転角度を求める。パネル制御部１０はタッチされた２点の座標（位置）を認識する。そして、パネル制御部１０は最初に２点タッチされたときの２点を結ぶ直線と、回転操作で移動後の２点を結ぶ直線を交差させたときの２本の直線の角度を求める。角度の求め方はいろいろあるが、例えば、パネル制御部１０は２点タッチの座標から最初に２点タッチされたときの２点を結ぶ直線と、回転操作で移動後の２点を結ぶ直線のそれぞれの傾きを求め、傾きから正接を求め、角度を求める。
【０２１７】
又、タッチされた２点を回転させる操作がなされたとき、パネル制御部１０は基準点Ａを定める。左右方向に整列された選択オブジェクト９の基準点Ａの定め方は予め定められている。例えば、最初にタッチされた２点の位置関係が横方向であるとき、求めた角度が０＜θ＜９０度の範囲であれば、基準点Ａは最も左側の選択オブジェクト９の左下隅とされる（図２３の（３）黒点で基準点Ａの一例を図示）。尚、求めた角度が−９０＜θ＜０度の範囲であれば、基準点Ａは最も左側の選択オブジェクト９の左上隅とされる。求めた角度が９０＜θ＜１８０度の範囲であれば、基準点Ａは最も右側の選択オブジェクト９の右下隅とされる。求めた角度が１８０＜θ＜２７０度の範囲であれば、基準点Ａは最も右側の選択オブジェクト９の右上隅とされる。
【０２１８】
そして、パネル制御部１０は定めた基準点Ａと、選択オブジェクト９のうち予め定められた特定箇所を結ぶ基準ラインＢを認識する。例えば、パネル制御部１０は各選択オブジェクト９について基準点Ａと同じ位置を特定箇所と定める。パネル制御部１０は選択オブジェクト９ａの左下隅を基準点Ａとする図２３の例では、各選択オブジェクト９の左下隅を特定箇所として、基準ラインＢを認識する。
【０２１９】
そして、図２３での上から３段目の図（（３）と付された図）に示すように、パネル制御部１０は回転操作に応じて求めた角度（タッチされた２点を結ぶ角度変化）に応じて、基準点Ａとした各選択オブジェクト９以外の選択オブジェクト９の表示位置を表示部１１に変えさせる。図２３の例では、パネル制御部１０は選択オブジェクト９ｂと選択オブジェクト９ｃの表示位置を表示部１１に変えさせる。
【０２２０】
そして、図２３での上から３段目の図に示すように、選択オブジェクト９の表示位置を変えさせるとき、パネル制御部１０は求めた角度と同じだけ、基準点Ａを中心として基準ラインＢを回転させ、基準ラインＢ上に各選択オブジェクト９の特定箇所が重なるように、選択オブジェクト９の表示位置を変えさせる。図２３の例では、パネル制御部１０は選択オブジェクト９ｂと選択オブジェクト９ｃの特定箇所（左下隅）と基準ラインＢが重なるように、選択オブジェクト９ｂと選択オブジェクト９ｃの表示位置を変えさせる。
【０２２１】
更に、タッチパネル部１２はいずれの点もタッチされなくなったことを受け付ける。パネル制御部１０はタッチされた点が無くなったときの表示位置で各選択オブジェクト９の表示位置が確定されたと認識する。
【０２２２】
このように、各選択オブジェクト９の整列方向と、回転させたい方向にあわせて２点タッチした位置を回転させることにより、直感的に選択オブジェクト９の整列方向の変えることができる。
【０２２３】
そして、図２３での上から４段目の図に示すように、タッチパネル部１２がタッチされた点を９０度まで回転させる操作を受け付ける。パネル制御部１０が９０度回転させる操作がなされたことを認識すると、パネル制御部１０は選択オブジェクト９の整列方向を左右方向から上下方向に９０度変わるように、選択オブジェクト９の表示位置を表示部１１に変えさせる。
【０２２４】
パネル制御部１０は整列方向を変更した選択オブジェクト９について、オブジェクトデータ中の画面内で表示位置を示す情報をメモリー１５に更新させる。これにより、以後、選択オブジェクト９の整列方向を変更した画面を表示するたびに、パネル制御部１０はメモリー１５に記憶された各オブジェクト８のオブジェクトデータを参照し、選択オブジェクト９の整列方向を変更した状態で表示部１１に表示させる。
【０２２５】
（選択オブジェクト９の整列方向の変更・上下→左右）
次に、図２４を用いて、実施形態に係る操作パネル１での選択オブジェクト９の整列方向の変更の一例を説明する。図２４は上下方向から左右方向に選択オブジェクト９の整列方向を変える整列方向の変更の手法の一例を示す説明図である。
【０２２６】
まず、図２４での最上段の図（（１）と付された図）は表示部１１に表示された３つのオブジェクト８が選択されていることを示す（選択オブジェクト９ａ〜９ｃ）。整列方向の変更前では、上から選択オブジェクト９ａ、選択オブジェクト９ｂ、選択オブジェクト９ｃの順番であり、選択オブジェクト９ａ〜９ｃは右揃えで表示されている状態である。例えば、右揃えを行ったとき、図２４の（１）に示すようなオブジェクト８が整列された状態となることがある。
【０２２７】
そして、図２４での上から２段目の図（（２）と付された図）は整列された３つのオブジェクト８（選択オブジェクト９ａ〜９ｃ）が選択された状態で、２点タッチがなされたことを示している。タッチパネル部１２は２点タッチがなされたことを受け付ける。又、パネル制御部１０はタッチパネル部１２の出力に基づき、２点タッチされたことを認識する。又、パネル制御部１０はタッチされた２点の位置関係が縦方向であることを認識する。
【０２２８】
そして、図２４での上から３段目の（（３）と付された図）に示すように、選択オブジェクト９を整列方向の変更を行うとき、使用者はタッチした２点を回転させる操作を行う。タッチパネル部１２はタッチされた２点を回転させる操作を受け付ける。又、パネル制御部１０はタッチパネル部１２の出力に基づき、整列方向の変更を指示する操作がなされたことを認識する。
【０２２９】
パネル制御部１０は回転操作により回転させられた角度を求める。パネル制御部１０はタッチされた２点の座標（位置）を認識する。尚、角度の求め方は図２３で説明した手法と同様でよい。そのため、角度の求め方については説明を省略する。
【０２３０】
又、タッチされた２点を回転させる操作がなされたとき、パネル制御部１０は基準点Ａを定める。上下方向に整列された選択オブジェクト９を回転させるとき、基準点Ａの定め方は予め定められている。例えば、最初にタッチされた２点の位置関係が縦方向であるとき、求めた角度が９０＜θ＜１８０度の範囲であれば（図２４での（３））、基準点Ａは最も下側の選択オブジェクト９の右下隅とされる（図２４の（３）黒点で基準点Ａの一例を図示）。尚、求めた角度が０＜θ＜９０度の範囲であれば、基準点Ａは最も下側の選択オブジェクト９の左下隅とされる。求めた角度が−９０＜θ＜０度の範囲であれば、基準点Ａは最も上側の選択オブジェクト９の左上隅とされる。求めた角度が１８０＜θ＜２７０度の範囲であれば、基準点Ａは最も上側の選択オブジェクト９の右上隅とされる。
【０２３１】
そして、パネル制御部１０は定めた基準点Ａと、選択オブジェクト９のうち予め定められた特定箇所を結ぶ基準ラインＢを認識する。例えば、パネル制御部１０は各選択オブジェクト９について基準点Ａと同じ位置を特定箇所と定める。パネル制御部１０は選択オブジェクト９ｃの右下隅を基準点Ａとする図２４の例では、各選択オブジェクト９の右下隅を特定箇所として、基準ラインＢを認識する。
【０２３２】
そして、図２４での上から３段目の図（（３）と付された図）に示すように、パネル制御部１０は、回転操作に応じて求めた角度（タッチされた２点を結ぶ直線の角度変化）に応じて、基準点Ａとした各選択オブジェクト９以外の選択オブジェクト９の表示位置を表示部１１に変えさせる。図２４の例では、パネル制御部１０は選択オブジェクト９ａと選択オブジェクト９ｂの表示位置を表示部１１に変えさせる。
【０２３３】
そして、図２４での上から３段目の図に示すように、選択オブジェクト９の表示位置を変えさせるとき、パネル制御部１０は回転操作に応じて求めた角度（タッチされた２点を結ぶ角度変化）に応じて、基準点Ａとした各選択オブジェクト９以外の選択オブジェクト９の表示位置を表示部１１に変えさせる。図２４の例では、パネル制御部１０は選択オブジェクト９ａと選択オブジェクト９ｂの特定箇所（右下隅）と基準ラインＢが重なるように、選択オブジェクト９ａと選択オブジェクト９ｂの表示位置を変えさせる。
【０２３４】
更に。タッチパネル部１２はいずれの点もタッチされなくなったことを受け付ける。パネル制御部１０はタッチされた点が無くなったときの表示位置で各選択オブジェクト９の表示位置が確定されたと認識する。
【０２３５】
このように、各選択オブジェクト９の整列方向と、回転させたい方向にあわせて２点タッチした位置を回転させることにより、直感的に選択オブジェクト９の整列方向の変えることができる。
【０２３６】
そして、図２４での上から４段目の図に示すように、タッチパネル部１２がタッチされた点を９０度まで回転させる操作を受け付ける。パネル制御部１０が９０度回転させる操作がなされたことを認識すると、パネル制御部１０は選択オブジェクト９の整列方向を上下方向から左右方向に、９０度変わるように、選択オブジェクト９の表示位置を表示部１１に変えさせる。
【０２３７】
パネル制御部１０は整列方向を変更した選択オブジェクト９について、オブジェクトデータ中の画面内で表示位置を示す情報をメモリー１５に更新させる。これにより、以後、選択オブジェクト９の整列方向を変更した画面を表示するたびに、パネル制御部１０はメモリー１５に記憶された各オブジェクト８のオブジェクトデータを参照し、選択オブジェクト９の整列方向を変更した状態で表示部１１に表示させる。
【０２３８】
（選択オブジェクト９の重なり順序の変更・その１）
次に、図２５を用いて、実施形態に係る操作パネル１での左右方向に並べられた選択オブジェクト９の重なり順序の変更の一例を説明する。図２５は、左右方向に並べられた選択オブジェクト９の重なり順序を変える手法の一例を示す説明図である。
【０２３９】
まず、図２５での最上段の図（（１）と付された図）は表示部１１に表示された３つのオブジェクト８が選択されていることを示す（選択オブジェクト９ａ〜９ｃ）。そして、整列前では、各選択オブジェクト９は重なった状態で左下寄りの位置に表示されている状態の一例を図２５の（１）に示している。具体的に、図２５では、選択オブジェクト９ｃの上側に選択オブジェクト９ｂが重なり、選択オブジェクト９ｂの上側に選択オブジェクト９ａが重なっている状態である。例えば、下揃えを行ったとき、図２５の（１）に示すような選択オブジェクト９が重なった状態となることがある。
【０２４０】
そして、図２５での上から２段目の図（（２）と付された図）は重なった状態の３つのオブジェクト８（選択オブジェクト９ａ〜９ｃ）が選択された状態で横方向（縦方向でもよい）に２点タッチがなされたことを示している。タッチパネル部１２は２点タッチがなされたことを受け付ける。又、パネル制御部１０はタッチパネル部１２の出力に基づき、左右方向に並べられ、重なったオブジェクト８が選択されている状態で２点タッチされたことを認識する。
【０２４１】
そして、図２５での上から３段目の左側の図（（３）と付された図）に示すように、選択オブジェクト９の重なり順序を変えるとき、使用者はタッチした２点を回転させる操作を行う。タッチパネル部１２はタッチされた２点を回転させる操作を受け付ける。又、パネル制御部１０はタッチパネル部１２の出力に基づき、選択オブジェクト９の重なり順序の変更を指示する操作が開始されたことを認識する。
【０２４２】
パネル制御部１０は回転操作により回転させられた角度を求める。パネル制御部１０はタッチされた２点の座標（位置）を認識する。尚、角度の求め方は図２３で説明した手法と同様でよい。そのため、角度の求め方については説明を省略する。
【０２４３】
又、タッチされた２点を回転させる操作がなされたとき、パネル制御部１０は角度変化量（最初にタッチされた２点を結ぶ直線に対する現在のタッチされた２点を結ぶ直線の角度の変化量）が予め定められた角度変化量に到るまで、左右方向で並べられた選択オブジェクト９を、重なりが無くなる方向に移動させる。図２５に示すように、左右方向に選択オブジェクト９が並べられているとき、パネル制御部１０は上下方向で選択オブジェクト９の表示位置を表示部１１に変えさせる。但し、図２５の（３）に示すように、表示部１１は重なった選択オブジェクト９のうち、最も上層の選択オブジェクト９（選択オブジェクト９ａ）の表示位置を移動させない。
【０２４４】
尚、本実施形態の説明では、予め定められた角度変化量は９０度である例を説明する。しかし、９０度よりも小さくてもよいし、大きくてもよい。又、選択オブジェクト９が表示部１１の表示領域の上下方向の中央よりも下寄りにあれば上方向に移動させればよい。一方、又、選択オブジェクト９が表示部１１の表示領域の上下方向の中央よりも上寄りにあれば下方向に移動させればよい。
【０２４５】
図２５の（３）の例では、まず、パネル制御部１０は最も上層の選択オブジェクト９ａの表示位置を表示部１１に移動させない。そして、パネル制御部１０は角度変化量が０＜θ＜９０度の間では、選択オブジェクト９ｂと選択オブジェクト９ｃの表示位置が上側に移動するように、表示部１１に表示を行わせる。又、パネル制御部１０は角度変化量が大きくなるほど、選択オブジェクト９ｂと選択オブジェクト９ｃの表示位置の元の位置からの移動量を大きくする。又、移動させない選択オブジェクト９ａからの距離が遠い選択オブジェクト９ほど、角度変化に対する移動量が大きくなるように、パネル制御部１０は表示部１１に選択オブジェクト９ｂと選択オブジェクト９ｃの表示位置を変えさせる。例えば、１度の角度変化に対する選択オブジェクト９ｂの移動量を「１」とすると、１度の角度変化に対する選択オブジェクト９ｃの移動量は「２」とされる（１：２）。
【０２４６】
又、図２５での最下段の左側の図（（４）と付された図）に示すように、パネル制御部１０は角度変化量が予め定められた角度変化量（９０度）になると、各選択オブジェクト９の重なりが全く無い状態となるように、表示部１１に各選択オブジェクト９の表示位置を変えさせる。図２５の（４）の例では、角度変化量が９０度になると、パネル制御部１０は選択オブジェクト９ａと選択オブジェクト９ｂと選択オブジェクト９ｃのそれぞれが重ならないように、表示部１１に表示を行わせる。
【０２４７】
更に、図２５での最下段の右側の図（（５）と付された図）に示すように、パネル制御部１０は角度変化量が予め定められた角度変化量（９０度）を超えると、重なり順が逆転するように、各選択オブジェクト９を表示部１１に表示させる。図２５の（４）の例では、角度変化量が９０度を超えると、パネル制御部１０は最も上層にあった選択オブジェクト９ａが最下層となり、最も下層であった選択オブジェクト９ｃが最上層となるように、表示部１１に表示を行わせる。
【０２４８】
又、図２５の（５）に示すように、パネル制御部１０は移動させていた選択オブジェクト９が元の位置に戻るように、選択オブジェクト９の表示位置を表示部１１に変えさせる。図２５の（５）の例では、角度変化量が９０度を超えると、パネル制御部１０は移動させていた選択オブジェクト９ｂと選択オブジェクト９ｃの表示位置が下側に移動するように、表示部１１に表示を変えさせる。又、パネル制御部１０は角度変化量が大きくなるほど、重なりが全く無い状態からの選択オブジェクト９ｂと選択オブジェクト９ｃの表示位置の移動量を大きくする。又、移動させない選択オブジェクト９ａからの距離が遠い選択オブジェクト９ほど、角度変化に対する移動量が大きくなるように、パネル制御部１０は表示部１１に選択オブジェクト９ｂと選択オブジェクト９ｃの表示位置を変えさせる。９０度を超えてからは、例えば、１度の角度変化に対する選択オブジェクト９ｂの下方向への移動量を「１」とすると、１度の角度変化に対する選択オブジェクト９ｃの下方向の移動量は「２」とされる（１：２）。
【０２４９】
又、図２５での上から３段目の右側の図（（６）と付された図）に示すように、パネル制御部１０は角度変化量が予め定められた角度変化量の２倍（１８０度）に到ると、各選択オブジェクト９の重なり順は回転操作開始前とは逆になるが、各選択オブジェクト９の表示位置は元に戻る。
【０２５０】
従って、使用者は重なった選択オブジェクト９の重なり順を逆転させたいとき、オブジェクト８を選択した後、タッチした２点を１８０度回転させ、タッチパネル部１２から指を離せばよい。
【０２５１】
又、タッチされた点が無くなったことをタッチパネル部１２が受け付けると、そのとき表示していた状態で各選択オブジェクト９の表示位置は確定される。パネル制御部１０は以後、タッチされた点が無くなったときの重なり順と表示位置で選択オブジェクト９を表示すると認識する。
【０２５２】
そこで、パネル制御部１０はタッチされた点が無くなったとき、各選択オブジェクト９について、オブジェクトデータ中の重なり順を示す情報や、画面内で表示位置を示す情報をメモリー１５に更新させる。これにより、以後、選択オブジェクト９の整列方向を変更した画面を表示するたびに、パネル制御部１０はメモリー１５に記憶された各オブジェクト８のオブジェクトデータを参照し、選択オブジェクト９の表示位置や重なり順を変更した状態で表示部１１に表示させる。
【０２５３】
（選択オブジェクト９の重なり順序の変更・その２）
次に、図２６を用いて、実施形態に係る操作パネル１での上下方向に並べられた選択オブジェクト９の重なり順序の変更の一例を説明する。図２６は、上下方向に並べられた選択オブジェクト９の重なり順序を変える手法の一例を示す説明図である。
【０２５４】
まず、図２６での最上段の図（（１）と付された図）は表示部１１に表示された３つのオブジェクト８が選択されていることを示す（選択オブジェクト９ａ〜９ｃ）。そして、整列前では、各選択オブジェクト９は重なった状態で左上寄りの位置に表示されている状態の一例を図２６の（１）に示している。具体的に、図２６では、選択オブジェクト９ｃの上側に選択オブジェクト９ｂが重なり、選択オブジェクト９ｂの上側に選択オブジェクト９ａが重なっている状態である。例えば、左揃えを行ったとき、図２６の（１）に示すような選択オブジェクト９が重なった状態となることがある。
【０２５５】
そして、図２６での上から２段目の図（（２）と付された図）は重なった状態の３つのオブジェクト８（選択オブジェクト９ａ〜９ｃ）が選択された状態で縦方向（横方向でもよい）に２点タッチがなされたことを示している。タッチパネル部１２は２点タッチがなされたことを受け付ける。又、パネル制御部１０はタッチパネル部１２の出力に基づき、上下方向に並べられ、重なったオブジェクト８が選択されている状態で２点タッチされたことを認識する。
【０２５６】
そして、図２６での上から３段目の左側の図（（３）と付された図）に示すように、選択オブジェクト９の重なり順序を変えるとき、使用者はタッチした２点を回転させる操作を行う。タッチパネル部１２はタッチされた２点を回転させる操作を受け付ける。又、パネル制御部１０はタッチパネル部１２の出力に基づき、選択オブジェクト９の重なり順序の変更を指示する操作が開始されたことを認識する。
【０２５７】
パネル制御部１０は回転操作により回転させられた角度を求める。パネル制御部１０はタッチされた２点の座標（位置）を認識する。尚、角度の求め方は図２３で説明した手法と同様でよい。そのため、角度の求め方については説明を省略する。
【０２５８】
又、タッチされた２点を回転させる操作がなされたとき、パネル制御部１０は角度変化量（最初にタッチされた２点を結ぶ直線に対する現在のタッチされた２点を結ぶ直線の角度の変化量）が予め定められた角度変化量に到るまで、上下方向で並べられた選択オブジェクト９を、重なりが無くなる方向に移動させる。図２６に示すように、上下方向に選択オブジェクト９が並べられているとき、パネル制御部１０は左右方向で選択オブジェクト９の表示位置を表示部１１に変えさせる。但し、図２６の（３）に示すように、表示部１１は重なった選択オブジェクト９のうち、最も上層の選択オブジェクト９（選択オブジェクト９ａ）の表示位置を移動させない。
【０２５９】
尚、選択オブジェクト９が表示部１１の表示領域の左右方向の中央よりも左寄りにあれば右方向に移動させればよい。一方、又、選択オブジェクト９が表示部１１の表示領域の左右方向の中央よりも右寄りにあれば左方向に移動させればよい。
【０２６０】
図２６の（３）の例では、まず、パネル制御部１０は最も上層の選択オブジェクト９ａの表示位置を表示部１１に移動させない。又、パネル制御部１０は角度変化量が０＜θ＜９０度の間では選択オブジェクト９ｂと選択オブジェクト９ｃの表示位置が右側に移動するように、パネル制御部１０は表示部１１に表示させる。又、パネル制御部１０は角度変化量が大きくなるほど、選択オブジェクト９ｂと選択オブジェクト９ｃの表示位置の元の位置からの移動量を大きくする。又、移動させない選択オブジェクト９ａからの距離が遠い選択オブジェクト９ほど、角度変化に対する移動量が大きくなるように、パネル制御部１０は表示部１１に選択オブジェクト９ｂと選択オブジェクト９ｃの表示位置を変えさせる。例えば、１度の角度変化に対する選択オブジェクト９ｂの移動量を「１」とすると、１度の角度変化に対する選択オブジェクト９ｃの移動量は「２」とされる（１：２）。
【０２６１】
又、図２６での最下段の左側の図（（４）と付された図）に示すように、パネル制御部１０は角度変化量が予め定められた角度変化量（９０度）になると、各選択オブジェクト９の重なりが全く無い状態となるように、表示部１１に各選択オブジェクト９の表示位置を変えさせる。図２６の（４）の例では、角度変化量が９０度になると、パネル制御部１０は選択オブジェクト９ａと選択オブジェクト９ｂと選択オブジェクト９ｃのそれぞれが重ならないように、表示部１１に表示を行わせる。
【０２６２】
更に、図２６での最下段の右側の図（（５）と付された図）に示すように、パネル制御部１０は角度変化量が予め定められた角度変化量（９０度）を超えると、重なり順が逆転するように、各選択オブジェクト９を表示部１１に表示させる。図２６の（４）の例では、角度変化量が９０度を超えると、パネル制御部１０は最も上層にあった選択オブジェクト９ａが最下層となり、最も下層であった選択オブジェクト９ｃが最上層となるように、表示部１１に表示を行わせる。
【０２６３】
又、図２６の（５）に示すように、パネル制御部１０は移動させていた選択オブジェクト９が元の位置に戻るように、選択オブジェクト９の表示位置を表示部１１に変えさせる。図２６の（５）の例では、角度変化量が９０度を超えると、パネル制御部１０は移動させていた選択オブジェクト９ｂと選択オブジェクト９ｃの表示位置が左側に移動するように、表示部１１に表示を変えさせる。又、パネル制御部１０は角度変化量が大きくなるほど、重なりが全く無い状態からの選択オブジェクト９ｂと選択オブジェクト９ｃの表示位置の移動量を大きくする。又、移動させない選択オブジェクト９ａからの距離が遠い選択オブジェクト９ほど、角度変化に対する移動量が大きくなるように、パネル制御部１０は表示部１１に選択オブジェクト９ｂと選択オブジェクト９ｃの表示位置を変えさせる。９０度を超えてからは、例えば、１度の角度変化に対する選択オブジェクト９ｂの左方向への移動量を「１」とすると、１度の角度変化に対する選択オブジェクト９ｃの左方向への移動量は「２」とされる（１：２）。
【０２６４】
又、図２６での上から３段目の右側の図（（６）と付された図）に示すように、パネル制御部１０は角度変化量が予め定められた角度変化量の２倍（１８０度）に到ると、各選択オブジェクト９の重なり順は回転操作開始前とは逆になるが、各選択オブジェクト９の表示位置は元に戻る。従って、使用者は重なった選択オブジェクト９の重なり順を逆転させたいとき、オブジェクト８を選択した後、タッチした２点を１８０度回転させ、タッチパネル部１２から指を離せばよい。
【０２６５】
又、タッチされた点が無くなったことをタッチパネル部１２が受け付けると、そのとき表示していた状態で各選択オブジェクト９の表示位置は確定される。パネル制御部１０は以後、タッチされた点が無くなったときの重なり順と表示位置で選択オブジェクト９を表示すると認識する。
【０２６６】
そこで、パネル制御部１０はタッチされた点が無くなったとき、各選択オブジェクト９について、オブジェクトデータ中の重なり順を示す情報や、画面内で表示位置を示す情報をメモリー１５に更新させる。これにより、以後、選択オブジェクト９の整列方向を変更した画面を表示するたびに、パネル制御部１０はメモリー１５に記憶された各オブジェクト８のオブジェクトデータを参照し、選択オブジェクト９の表示位置や重なり順を変更した状態で表示部１１に表示させる。
【０２６７】
（オブジェクト８の整列の流れ）
次に、図２７を用いて、本実施形態の操作パネル１、画像形成装置でのオブジェクト８の整列の流れを説明する。図２７はオブジェクト８の整列の流れの一例を説明するためのフローチャートである。
【０２６８】
図２７のスタートはキーの表示位置がタッチされた場合や、操作パネル１のハードキーが押された場合など、パネル制御部１０が表示部１１に新たな画面を表示させる（画面を切り替えさせる）時点である。
【０２６９】
まず、パネル制御部１０はメモリー１５に記憶された各種オブジェクト８のオブジェクトデータを参照し、新たに表示する画面（切り替えられた画面）に表示すべきオブジェクト８があるか否かを確認する（ステップ♯１）。無ければ（ステップ♯１のＮｏ）、オブジェクト８の整列をなしえないので、本フローは終了すればよい（エンド）。一方、表示すべきオブジェクト８があれば、パネル制御部１０は表示すべきオブジェクト８のオブジェクトデータに定義された内容や大きさや表示位置でオブジェクト８を表示する（ステップ♯２）。
【０２７０】
そして、パネル制御部１０はタッチパネル部１２が画面の切り替えを指示する入力を受け付けたかを確認する（ステップ♯３）。言い換えると、パネル制御部１０は表示部１１に新たな画面を表示させる必要があるか否かを確認する（ステップ♯３）。もし、新たな画面に切り替える必要があれば（ステップ♯３のＹｅｓ）、本フローは終了すればよい（エンド）。そして、新たに表示する画面（切り替えにより表示する画面）で、本フローが開始される。
【０２７１】
一方、まだ新たな画面に切り替える必要が無ければ、パネル制御部１０はオブジェクト８が選択されたか否かを確認する（ステップ♯４）。タッチパネル部１２がオブジェクト８を選択する入力を受け付けていない場合（ステップ♯４のＮｏ）、フローはステップ♯３に戻ればよい。
【０２７２】
そして、タッチパネル部１２がオブジェクト８を選択する入力を受け付けた場合（ステップ♯４のＮｏ）、パネル制御部１０は２点タッチにより、選択したオブジェクト８を整列させる入力がタッチパネル部１２になされたか否かを確認する（ステップ♯５）。もし、選択したオブジェクト８を整列させる入力がなされていないとき（ステップ♯５のＮｏ）、フローはステップ♯３に戻ればよい。
【０２７３】
一方、選択したオブジェクト８を整列させる入力がなされていれば（整列させる必要があれば、ステップ♯５のＹｅｓ）、パネル制御部１０は操作に応じて表示部１１に選択オブジェクト９の表示位置を変えさせ、整列させる（ステップ♯６）。そして、パネル制御部１０はメモリー１５に整列させた各選択オブジェクト９の表示位置を示す情報や重なり順を示す情報等、オブジェクトデータを更新させる（ステップ♯７）。そして、ステップ♯７の後、フローはステップ♯３に戻ればよい。
【０２７４】
このようにして、本実施形態に係る表示入力装置（操作パネル１）は画面、画像を表示し、表示位置が移動可能な画像であるオブジェクト８を複数表示する表示部１１と、表示部１１に対して設けられ、使用者の入力を受け付け、複数のタッチされている位置を検知するタッチパネル部１２と、タッチされた２点が縦方向か横方向かを判断する判断部（パネル制御部１０）を含み、タッチパネル部１２は表示部１１に表示されたオブジェクト８の一部又は全てを選択オブジェクト９として選択する入力を受け付け、オブジェクト８が選択されている状態でタッチパネル部１２が２点タッチされたことを検知したとき、表示部１１はタッチされた２点の方向と、タッチされた点の移動に応じて選択オブジェクト９の表示位置を整列する。
【０２７５】
これにより、複数のオブジェクト８を選択した後、タッチパネル部１２を２点タッチし、タッチした２点を動かす操作だけで、選択オブジェクト９を整列させることができる。従って、複数のオブジェクト８を整列させるための操作数を削減することができ、直感的（直観的）な操作によって素早く簡易に複数のオブジェクト８を整列させることができる。又、従来、オブジェクト８を整列させる上で表示されていたメニューやキーを表示せずに済み、表示部１１での表示を見やすくすることもできる。
【０２７６】
又、タッチされた２点が横方向であるとき、表示部１１はタッチパネル部１２が左側のタッチされた点が固定されつつ右側のタッチされた点が左方向に移動したことを受け付けた場合、選択オブジェクト９の左端が予め定められた左揃え位置に揃うように選択オブジェクト９の表示位置を左揃えで整列し、タッチパネル部１２が右側のタッチされた点が固定されつつ左側のタッチされた点が右方向に移動したことを受け付けた場合、選択オブジェクト９の右端が予め定められた右揃え位置に揃うように選択オブジェクト９の表示位置を右揃えで整列する。そのため、タッチされた２点が横方向であるとき、一方の点を固定しつつ、他方の点を移動させることで、選択オブジェクト９を左揃え又は右揃えで整列させることができる。これにより、指を動かす方向（左右方向）と選択オブジェクト９が移動する方向（左揃え又は右揃え）が一致する。従って、指の動きと同じように選択オブジェクト９が移動して、直感的な操作により、複数のオブジェクト８を素早く簡易に左揃え又は右揃えで整列させることができる。
【０２７７】
又、左揃え位置はタッチされた２点のいずれか１点の位置に選択オブジェクト９が表示されているとき、タッチされた位置に表示された選択オブジェクト９の左端の位置であり、タッチされた２点のいずれか１点の位置に選択オブジェクト９が表示されていないとき、表示部１１の表示領域の左端もしくは最も左に位置する選択オブジェクト９の左端の位置であり、右揃え位置はタッチされた２点のいずれか１点の位置に選択オブジェクト９が表示されているとき、タッチされた位置に表示された選択オブジェクト９の右端の位置であり、タッチされた２点のいずれか１点の位置に選択オブジェクト９が表示されていないとき、表示部１１の表示領域の右端若しくは選択オブジェクト９のうち最も右に位置する選択オブジェクト９の右端の位置である。そのため、選択オブジェクト９上で２点タッチするか否かにより、左揃えや右揃えを行うときの基準の位置を変えることができる。これにより、左揃えや右揃えの態様の選択肢が増える。従って、使用者の所望するように、選択オブジェクト９を左揃えや右揃えで整列させやすくなり、左揃えや右揃えを行ううえでの表示入力装置（操作パネル１）の使い勝手を良くすることができる。
【０２７８】
又、タッチされた２点が縦方向であるとき、表示部１１はタッチパネル部１２が上側のタッチされた点が固定されつつ下側のタッチされた点が上方向に移動したことを受け付けた場合、選択オブジェクト９の上端が予め定められた上揃え位置に揃うように選択オブジェクト９の表示位置を上揃えで整列し、タッチパネル部１２が下側のタッチされた点が固定されつつ上側のタッチされた点が下方向に移動したことを受け付けた場合、選択オブジェクト９の下端が予め定められた下揃え位置に揃うように選択オブジェクト９の表示位置を下揃えで整列する。そのため、タッチされた２点が縦方向であるとき、一方の点を固定しつつ、他方の点を移動させることで、選択オブジェクト９を上揃え又は下揃えで整列させることができる。これにより、指を動かす方向（上下方向）と選択オブジェクト９が移動する方向（上揃え又は下揃え）が一致させることができる。従って、指の動きと同じように選択オブジェクト９が移動し、直感的な操作により、複数のオブジェクト８を素早く簡易に上揃え又は下揃えで整列させることができる。
【０２７９】
又、上揃え位置はタッチされた２点のいずれか１点の位置に選択オブジェクト９が表示されているとき、タッチされた位置に表示された選択オブジェクト９の上端の位置であり、タッチされた２点のいずれか１点の位置に選択オブジェクト９が表示されていないとき、表示部１１の表示領域の上端もしくは最も上に位置する選択オブジェクト９の上端の位置であり、下揃え位置はタッチされた２点のいずれか１点の位置に選択オブジェクト９が表示されているとき、タッチされた位置に表示された選択オブジェクト９の下端の位置であり、タッチされた２点のいずれか１点の位置に選択オブジェクト９が表示されていないとき、表示部１１の表示領域の下端若しくは最も下に位置する選択オブジェクト９の下端の位置である。このため、選択オブジェクト９上で２点タッチするか否かにより、上揃えや下揃えを行うときの基準の位置を変えることができる。これにより、上揃えや下揃えの態様の選択肢が増える。従って、使用者の所望するように、選択オブジェクト９を上揃えや下揃えで整列させやすくなり、上揃えや下揃えを行ううえでの表示入力装置（操作パネル１）の使い勝手を良くすることができる。
【０２８０】
又、タッチされた２点が横方向であるとき、表示部１１はタッチパネル部１２がタッチされた２点の間隔が左右方向に狭められたことを受け付けたとき、それぞれの選択オブジェクト９の左右方向での中央が表示部１１の表示領域の左右方向での中央と揃うように選択オブジェクト９の表示位置を整列する。これにより、タッチされた２点を中央に寄せるような操作に応じて、選択オブジェクト９は表示部１１の表示領域での左右方向の中央に寄せて（中央揃えで）整列される。従って、指の動きと同じように選択オブジェクト９が移動し、直感的な操作により、複数のオブジェクト８を素早く簡易に左右方向での中央に整列させることができる。
【０２８１】
又、タッチされた２点が縦方向であるとき、表示部１１はタッチパネル部１２がタッチされた２点の間隔が上下方向に狭められたことを受け付けたとき、それぞれの選択オブジェクト９の上下方向での中央が表示部１１の表示領域の上下方向での中央と揃うように選択オブジェクト９の表示位置を整列する。これにより、タッチされた２点を中央に寄せるような操作に応じて、選択オブジェクト９は表示部１１の表示領域での上下方向の中央に寄せて（中央揃えで）整列される。従って、指の動きと同じように選択オブジェクト９が移動し、直感的な操作により、複数のオブジェクト８を素早く簡易に上下方向での中央に整列させることができる。
【０２８２】
又、タッチされた２点が横方向であるとき、表示部１１はタッチパネル部１２がタッチされた２点の間隔が左右方向に広げられたことを受け付けたとき、それぞれの選択オブジェクト９の左右方向での間隔が均等になるように選択オブジェクト９の表示位置を整列する。これにより、タッチされた２点を中央から遠ざけるような操作に応じて、各選択オブジェクト９の間隔が均等になり、選択オブジェクト９は表示部１１の表示領域での左右方向の中央から広がるように整列される（左右均等揃え）。従って、指の動きと同じように選択オブジェクト９が移動し、直感的な操作により、複数のオブジェクト８を素早く簡易に左右方向での均等揃えで整列させることができる。
【０２８３】
又、表示部１１は最も左に表示された選択オブジェクト９と最も右に表示された選択オブジェクト９を動かさないようにして、又は、最も左に表示された選択オブジェクト９の左端を表示領域の左端に移動させるとともに最も右に表示された選択オブジェクト９の右端を表示領域の右端に移動させて、それぞれの選択オブジェクト９の左右方向での間隔が均等になるように選択オブジェクト９の表示位置を整列するこれにより、複数のオブジェクト８を素早く簡易に左右方向の均等揃えで整列させることができる。
【０２８４】
又、タッチされた２点が縦方向であるとき、表示部１１はタッチパネル部１２がタッチされた２点の間隔が上下方向に広げられたことを受け付けたとき、それぞれの選択オブジェクト９の上下方向での間隔が均等になるように選択オブジェクト９の表示位置を整列する。これにより、タッチされた２点を中央から遠ざけるような操作に応じて、各選択オブジェクト９の間隔が均等になり、選択オブジェクト９は表示部１１の表示領域での上下方向の中央から広がるように整列される（上下均等揃え）。従って、指の動きと同じように選択オブジェクト９が移動し、直感的な操作により、複数のオブジェクト８を素早く簡易に上下方向での均等揃えで整列させることができる。
【０２８５】
又、表示部１１は最も上に表示された選択オブジェクト９と最も下に表示された選択オブジェクト９を動かさないようにして、又は、最も上に表示された選択オブジェクト９の上端を表示領域の上端に移動させるとともに最も下に表示された選択オブジェクト９の下端を表示領域の下端に移動させて、それぞれの選択オブジェクト９の上下方向での間隔が均等になるように選択オブジェクト９の表示位置を整列する。このように、表示部１１は上下両端の選択オブジェクト９を移動させない、あるいは、表示部１１の表示領域を最大限用いるようにして、上下方向での均等揃えで整列させる。これにより、複数のオブジェクト８を素早く簡易に上下方向の均等揃えで整列させることができる。
【０２８６】
又、重なったオブジェクト８が選択された後、タッチされた２点が横方向であるとき、表示部１１はタッチパネル部１２が左側のタッチされた点が固定されつつ右側のタッチされた点が右方向に移動したことを受け付けた場合、重なった選択オブジェクト９のうち、最も左側に位置する選択オブジェクト９を動かさないようにしつつ、他の選択オブジェクト９の表示位置を右方向にずらして重なりが無くなるように選択オブジェクト９の表示位置を変え、タッチパネル部１２が右側のタッチされた点が固定されつつ左側のタッチされた点が左方向に移動したことを受け付けた場合、重なった選択オブジェクト９のうち、最も右側に位置する選択オブジェクト９を動かさないようにしつつ、他の選択オブジェクト９の表示位置を左方向にずらして重なりが無くなるように選択オブジェクト９の表示位置を変える。これにより、タッチされた左右の２点のうち固定された点の方向と、左右両端の選択オブジェクト９うち動かさない選択オブジェクト９の方向を一致させつつ、選択オブジェクト９の重なりが解消される。従って、指の動きと関連性を持たせつつ、選択オブジェクト９の重なり解消することができる。
【０２８７】
又、重なったオブジェクト８が選択された後、タッチされた２点が縦方向であるとき、
表示部１１はタッチパネル部１２が上側のタッチされた点が固定されつつ下側のタッチされた点が下方向に移動したことを受け付けた場合、重なった選択オブジェクト９のうち、最も上側に位置する選択オブジェクト９を動かさないようにしつつ、他の選択オブジェクト９の表示位置を下方向にずらして重なりが無くなるように選択オブジェクト９の表示位置を変え、タッチパネル部１２が下側のタッチされた点が固定されつつ上側のタッチされた点が上方向に移動したことを受け付けた場合、重なった選択オブジェクト９のうち、最も下側に位置する選択オブジェクト９を動かさないようにしつつ、他の選択オブジェクト９の表示位置を上方向にずらして重なりが無くなるように選択オブジェクト９の表示位置を変える。これにより、タッチされた上下の２点のうち固定された点の方向と、上下両端の選択オブジェクト９うち動かさない選択オブジェクト９の方向を一致させつつ、選択オブジェクト９の重なりが解消される。従って、指の動きと関連性を持たせつつ、選択オブジェクト９の重なり解消することができる。
【０２８８】
又、整列されたオブジェクト８が選択された状態でタッチパネル部１２がタッチされた点を回転させる操作を受け付けたとき、判断部（パネル制御部１０）は回転角度に応じて基準点Ａを設定するとともに、整列された複数の選択オブジェクト９のうちの予め定められた特定箇所を結ぶ基準ラインＢを認識し、表示部１１はタッチされた２点を結ぶ直線の角度変化に応じて、基準点Ａを中心として回転させた基準ラインＢと特定箇所が重なるように、複数の選択オブジェクト９の表示位置を変える。これにより、タッチされた２点を回転させる操作に応じて、基準点Ａを中心に回転させるように選択オブジェクト９の表示位置を変えることができる。従って、指の動きと同じように選択オブジェクト９が移動し、直感的な操作により、複数のオブジェクト８を素早く簡易に回転するように移動させることができる。
【０２８９】
又、整列されたオブジェクト８が選択された状態でタッチパネル部１２がタッチされた点を９０度回転させる操作を受け付けたとき、表示部１１は複数の選択オブジェクト９の整列方向を左右方向から上下方向に、又は上下方向から左右方向に選択オブジェクト９の表示位置を変える。これにより、タッチされた２点の横と縦を切り替えるような操作に応じて、各選択オブジェクト９の整列方向を左右方向と上下方向の間で切り替えることができる。従って、指の動きと同じように選択オブジェクト９の整列方向が変化し、直感的な操作により、複数のオブジェクト８の縦と横の整列方向を入れ替えることができる。
【０２９０】
又、重なったオブジェクト８が選択された後、タッチパネル部１２がタッチされた点を回転させる操作を受け付けたとき、表示部１１は最初にタッチされた２点を結ぶ直線に対する現在のタッチされた２点を結ぶ直線の角度変化量が予め定められた角度変化量未満のとき、角度変化量に応じて、選択オブジェクト９を重なりが解消させる方向に移動させ、角度変化量が予め定められた角度変化量を超えるとき、選択オブジェクト９の重なり順を逆転させるとともに、角度変化量に応じて、他の選択オブジェクト９を元の位置に戻す方向に移動させる。
これにより、タッチされた２点を回転させる操作に応じて、重なった選択オブジェクト９のうち、最も上層に表示する選択オブジェクト９を切り替えることができる。従って、直感的な操作により、重なった複数のオブジェクト８の表示順を切り替えることができる。
【０２９１】
又、画像形成装置（複合機１００）は、上述の表示入力装置（操作パネル１）を含む。画像形成装置はオブジェクト８の整列を簡易、直感的に行うことができ、使いやすい表示入力装置を含む。従って、使用者にとって使いやすい画像形成装置を提供することができる。
【０２９２】
本発明の実施形態を説明したが、本発明の範囲はこれに限定されるものではなく、発明の主旨を逸脱しない範囲で種々の変更を加えて実施することができる。
【産業上の利用可能性】
【０２９３】
本発明は、操作パネル等の表示部とタッチパネル部を有する表示入力装置や、画像形成装置に利用可能である。
【符号の説明】
【０２９４】
１００  複合機（画像形成装置）          １      操作パネル（表示入力装置）
１０    パネル制御部（判断部）          １１    表示部
１２    タッチパネル部                  ８      オブジェクト
８１    電子付箋                        ８２    データ画像
８３    フォルダー画像                  ９      選択オブジェクト
９ａ    選択オブジェクト                ９ｂ    選択オブジェクト
９ｃ    選択オブジェクト                Ａ      基準点
Ｂ      基準ライン
【図１】
0005629722.tif 000002
【図２】
0005629722.tif 000003
【図３】
0005629722.tif 000004
【図４】
0005629722.tif 000005
【図５】
0005629722.tif 000006
【図６】
0005629722.tif 000007
【図７】
0005629722.tif 000008
【図８】
0005629722.tif 000009
【図９】
0005629722.tif 000010
【図１０】
0005629722.tif 000011
【図１１】
0005629722.tif 000012
【図１２】
0005629722.tif 000013
【図１３】
0005629722.tif 000014
【図１４】
0005629722.tif 000015
【図１５】
0005629722.tif 000016
【図１６】
0005629722.tif 000017
【図１７】
0005629722.tif 000018
【図１８】
0005629722.tif 000019
【図１９】
0005629722.tif 000020
【図２０】
0005629722.tif 000021
【図２１】
0005629722.tif 000022
【図２２】
0005629722.tif 000023
【図２３】
0005629722.tif 000024
【図２４】
0005629722.tif 000025
【図２５】
0005629722.tif 000026
【図２６】
0005629722.tif 000027
【図２７】
0005629722.tif 000028